(57)【特許請求の範囲】
【請求項１】
制御基板のソケットに外部ケーブルのコネクタを接続し、当該コネクタを囲むコネクタ収容室を覆ってコネクタカバーを取り付けた基板ユニットを配設した遊技機において、
前記コネクタカバーはその外周の所定位置に前記外部ケーブルを通過させる切り欠き溝を開口させ、
前記コネクタカバーと前記コネクタ収容室の間には、該コネクタ収容室から離間する剥し方向において互いに係止する剥し方向係止手段が設けられ、
前記剥し方向係止手段は前記コネクタカバーを前記基板ユニットに対して押し込み方向に所定位置まで移動させることにより不可逆の係止状態となるように構成されて、前記コネクタカバーと前記基板ユニットが固定され、
さらに、前記コネクタカバーの裏面には、前記切り欠き溝を通って前記コネクタ収容室内に延びる前記外部ケーブルの延出方向を前記コネクタへ向かう途中で異なる方向へ規制するブロック部が前記コネクタ収容室を横切って設けられており、
前記ブロック部は前記コネクタから延びる前記外部ケーブルを前記切り欠き溝へ導く案内手段を有していると共に、
前記案内手段は、前記ブロック部の前記コネクタ収容室の底壁に対向する端縁を、当該底壁に近接させるとともに前記コネクタカバーの取り付け方向に平行な面内で前記切り欠き溝へ向けて傾斜させて形成してあることを特徴とする遊技機。
【請求項２】
前記コネクタカバーは裏面に、前記コネクタの上部を囲む凹部を備えていることを特徴とする請求項１に記載の遊技機。
【請求項３】
前記凹部の底壁には、前記ソケットへの接続が完全な状態の前記コネクタの所定部位に前記ソケットへの挿し込み方向で当接するようにコネクタ押さえを突出させてあることを特徴とする請求項２に記載の遊技機。
【発明の詳細な説明】
【技術分野】
【０００１】
本発明は、スロットマシンその他の遊技機に関する。
【背景技術】
【０００２】
例えば遊技機のスロットマシンにおいては、筐体が、正面側に開口部をもつ箱形状の筐体本体と、その開口部を閉じ表側が演出表示面や操作レバー等を備える遊技面となっている前面扉とから構成される。前面扉には表示窓が設けられ、筐体本体内には表示窓から視認可能にリールが設置され、その駆動機構や電源等も筐体本体内に設置されている。さらに遊技内容や演出処理を電子的に制御する制御基板が、リール等とともに筐体本体内に設置される。
【０００３】
制御基板には遊技内容のプログラムや大当たりの発生条件等を規定するデータを記憶するメモリも実装されているため、そのメモリあるいは制御基板全部を交換したり、別途のメモリ追加や変更を加えることにより、大当たりを頻発させコインを大量に獲得するというような不正行為が問題となる。
このため、筐体本体側と協働して前面扉を閉鎖し施錠状態とする施錠機構が設けられているが、これだけでは不正行為の防止には不十分で、施錠状態を破って制御基板に不正な変更等を加える事例が頻発している。
【０００４】
そこで、制御基板を収納した基板ボックス自体についてもこれを封止する技術が例えば特開２００１−３１４６２４号公報に提案されている。
これはワンウェイネジを用いて封止するものである。ワンウェイネジは回転の一方向にはドライバが引っ掛かる当接面部と、逆方向にはドライバが滑る凹部とからなるネジ溝を有しており、通常のマイナスドライバなどでは緩め方向に回すことが困難となっている。
すなわち、このようなワンウェイネジを用いて基板ボックスの本体と蓋体とを非可逆的な固着状態とすることにより、基板ボックスを不正に開いたり正規外の制御基板を備えた複製品の基板ボックスにすり替えることを防止しようとするものである。
【先行技術文献】
【特許文献】
【０００５】
【特許文献１】特開２００１−３１４６２４号公報
【発明の概要】
【発明が解決しようとする課題】
【０００６】
上記の封止部材を用いてボックスの結合状態を封止する封止構造は基板ボックスを不正に開いて内部の制御基板にアクセスすることを防止する上で有効である。
一方、基板ボックス内の制御基板はケーブルによって外部の機器と信号の授受を行う必要がある。例えば容量制限の都合上、基板ボックスがメイン基板ボックスとサブ基板ボックスに分割されている場合、サブ基板ボックス内の制御基板につながるケーブルのコネクタがメイン基板ボックスの制御基板のソケットに接続される。このコネクタ接続部はメイン基板ボックス内外の境界であり、コネクタが外されればソケットに露出した端子からも制御プログラム等の変更や大当たり信号の発生が不正に行われる可能性がある。
【０００７】
この対策としてはコネクタ接続部を隠すコネクタカバーを設ける必要があるが、これにも別途独立の封止部材を用いると構造が複雑になるため、基板ボックスの開閉に対する封止ほどには、当該コネクタ接続部への不正アクセス防止策は徹底されていない。
このため、別途の封止部材を使用することなく、コネクタカバー自体が基板ボックスなど相手部材に取り付けられた後は、その破損などの痕跡を残すことなしには取外すことができない構造が求められる。
このような要求は基板ボックスのコネクタ部に対するコネクタカバーに限らず、相手部材に取り付けられて封止を必要とする構造体全般に共通するものである。
【０００８】
したがって本発明は、上記の例示した問題等に鑑み、不正な取り外し行為を効果的に防止することができるようにした構造体を備えた遊技機を提供することを目的とする。
【課題を解決するための手段】
【０００９】
本発明は、制御基板のソケットに外部ケーブルのコネクタを接続し、当該コネクタを囲むコネクタ収容室を覆ってコネクタカバーを取り付けた基板ユニットを配設した遊技機において、
前記コネクタカバーはその外周の所定位置に前記外部ケーブルを通過させる切り欠き溝を開口させ、
前記コネクタカバーと前記コネクタ収容室の間には、該コネクタ収容室から離間する剥し方向において互いに係止する剥し方向係止手段が設けられ、
前記剥し方向係止手段は前記コネクタカバーを前記基板ユニットに対して押し込み方向に所定位置まで移動させることにより不可逆の係止状態となるように構成されて、前記コネクタカバーと前記基板ユニットが固定され、
さらに、前記コネクタカバーの裏面には、前記切り欠き溝を通って前記コネクタ収容室内に延びる前記外部ケーブルの延出方向を前記コネクタへ向かう途中で異なる方向へ規制するブロック部が前記コネクタ収容室を横切って設けられており、
前記ブロック部は前記コネクタから延びる前記外部ケーブルを前記切り欠き溝へ導く案内手段を有していると共に、
前記案内手段は、前記ブロック部の前記コネクタ収容室の底壁に対向する端縁を、当該底壁に近接させるとともに前記コネクタカバーの取り付け方向に平行な面内で前記切り欠き溝へ向けて傾斜させて形成しているものとした。
【発明の効果】
【００１０】
本発明によれば不正行為を効果的に防止することができるようにした遊技機を提供することができる。
【図面の簡単な説明】
【００１１】
【図１】本発明が適用されるスロットマシンの全体斜視図である。
【図２】前面扉を取外して示すスロットマシン内部の正面図である。
【図３】主基板ユニットの全体正面図である。
【図４】固定ベース部の斜視図である。
【図５】固定ベース部の側面図である。
【図６】可動ベース部の全体斜視図である。
【図７】左側の側部ブロックを示す斜視図である。
【図８】主制御装置を前方から見た斜視図である。
【図９】主制御装置を後方から見た斜視図である。
【図１０】コネクタ接続部を示す部分拡大正面図である。
【図１１】図１０におけるＡ−Ａ部断面図である。
【図１２】第１の剥し方向係止部の詳細を示す図である。
【図１３】第１のスライド方向係止部の詳細を示す図である。
【図１４】図１０におけるＷ−Ｗ部断面図である。
【図１５】第２のスライド方向係止部の詳細を示す図である。
【図１６】他の第１の剥し方向係止部の詳細を示す図である。
【図１７】図１０におけるＫ−Ｋ部断面図である。
【図１８】コネクタカバーを示す図である。
【図１９】コネクタカバーの裏面図である。
【図２０】コネクタカバーの各部断面を示す図である。
【図２１】コネクタカバーの剥し方向の係止部を示す図である。
【図２２】コネクタカバーの剥し方向の他の係止部を示す図である。
【図２３】コネクタカバーのスライド方向の係止部を示す図である。
【図２４】コネクタカバーのスライド方向の他の係止部を示す図である。
【図２５】コネクタの接続状態とコネクタカバーの関係を示す説明図である。
【図２６】コネクタカバー取り付け完了位置における剥し方向にかかる係止状態を示す説明図である。
【図２７】他の剥し方向にかかる係止状態を示す説明図である。
【図２８】コネクタカバー取り付け完了位置におけるスライド方向にかかる係止状態を示す説明図である。
【図２９】スライド方向にかかる係止部の剥し方向引き抜き過程を示す説明図である。
【図３０】他のコネクタ接続部を示す拡大正面図である。
【図３１】コネクタ接続部を斜め下方から見た斜視図である。
【図３２】コネクタ接続部を斜め上方から見た斜視図である。
【図３３】図３０におけるＡＡ−ＡＡ部断面斜視図である。
【図３４】図３０におけるＡＢ−ＡＢ部断面図である。
【図３５】図３０におけるＡＣ−ＡＣ部断面図である。
【図３６】図３０におけるＡＤ−ＡＤ部断面図である。
【図３７】図３０におけるＡＥ−ＡＥ部断面図である。
【図３８】他のコネクタカバーを示す図である。
【図３９】図３８におけるＡＦ−ＡＦ矢視図である。
【図４０】コネクタカバーの裏面図である。
【図４１】図３８の（ａ）におけるＡＧ−ＡＧ部断面図である。
【図４２】コネクタカバーの裏面斜視図である。
【図４３】第１係止片と第１係止部および第６係止片と第６係止部の係合状態を示す断面図である。
【図４４】第３係止片と第３係止部の係合状態を示す断面図である。
【図４５】第４係止片と第４係止部の係合状態を示す断面図である。
【図４６】第５係止片と第５係止部の係合状態を示す断面図である。
【図４７】コネクタカバーの取り付け状態を示す断面図である。
【図４８】コネクタカバーの取り外し過程を示す説明図である。
【発明を実施するための形態】
【００１２】
次に本発明をスロットマシンに適用した実施の形態について説明する。
図１はスロットマシンの全体斜視図、図２は前面扉を取外して示す内部の正面図である。
スロットマシン１の筐体は、正面側が開口する箱形状の筐体本体２と、その開口部を閉じる前面扉３とから構成される。
筐体本体２は、天板２ａ、底板２ｂ、背板２ｃ、左側板２ｄ、右側板２ｅからなる。
前面扉３は、左端側の上下複数カ所がヒンジによって筐体本体２に取り付けられ、ヒンジを軸として水平に揺動し、筐体本体２の開口部を開閉可能となっている。
前面扉３の右端部には、筐体本体２側と協働して前面扉３を閉鎖し施錠状態とする施錠機構４が設けられている。
前面扉３の表側は、複数の表示窓６を備える遊技パネル５、コイン投入口７、各種の操作レバーやボタン、スイッチ類を備える操作部８、コイン受け皿９、その他の演出表示部１０などが設けられた公知の遊技面となっている。これらの詳細は、例えば特開２００８−６１７３９号公報に示される。
【００１３】
筐体本体２の内部は、仕切板２ｆによって上下に２分割されている。
仕切板２ｆの下部には、コインを貯留する貯留タンクとコインを前面扉３のコイン受け皿８へ払い出す払出装置とを備えたホッパ装置１１や、電源ボックス１２が配置されている。
前面扉３のコイン投入口７から投入されたコインはホッパ装置１１に供給され、貯留タンクに貯留されるか、あるいはコイン受け皿９へ排出されるようになっている。
仕切板２ｆの上部には、前面扉３の各表示窓６に対して１対１で対応させて横に並べたリール１４を同一軸線上で回転可能に支持したリールユニット１５が取り付けられている。
リールユニット１５の上方には、スロットマシンの制御を行う主基板ユニット２０が背板２ｃに取付けて設置されている。
【００１４】
図３は主基板ユニットの全体正面図である。
とくに指定しない限り、図３の状態を基準として図中の右側を主基板ユニット２０の右側、図中の左側を主基板ユニット２０の左側とし、図中の手前側を主基板ユニット２０の前側、図中の奥側を主基板ユニット２０の後側として説明し、主基板ユニット２０を構成する各部材についても同様とする。また、後述のコネクタカバー３００にかかる方向についても図３の主基板ユニット２０に取り付けられた状態を基準とする。
主基板ユニット２０は、主制御装置２２と、主制御装置を筐体本体２に支持する台座装置２５とを備えている。主制御装置２２により、遊技内容が制御される。
【００１５】
台座装置２５は、筐体本体２の背板２ｃに固定される固定ベース部５０と、固定ベース部５０に支持されて水平に延びる回動中心軸線Ｚ（図６参照）を中心として上下に回動し傾倒姿勢をとることが可能な可動ベース部１００とを備えている。
主制御装置２２は可動ベース部１００に保持され、回動中心軸線Ｚに直交してこれから離間する方向（上方）にスライドさせることにより、可動ベース部１００から取り外し可能となっている。
【００１６】
主制御装置２２には後述のソケット４５（図８参照）、４８（図４７参照）が設けられ、ソケット４５には各種センサやスイッチ信号を中継する中継基板につながるケーブル２７のコネクタ２８（図２５参照）が挿し込まれて接続され、ソケット４８には表示制御装置等のサブ基板に向けてコマンド信号を送るケーブル８０のコネクタ８１（図４７参照）が挿し込まれて接続される。
ソケット４５まわりのコネクタ接続部ＣＯＮ１には、主制御装置２２から可動ベース部１００に跨って当該部位をカバーするコネクタカバー３００が取り付けられる。
ソケット４８まわりのコネクタ接続部ＣＯＮ２には、主制御装置２２に当該部位をカバーするコネクタカバー３６０が取り付けられる。
なお、主制御装置２２にはソケット４５、４８以外にもソケットが設けられているが、不正アクセスによって制御に影響を受けるのを防止するためコネクタカバーが取り付けられるもののみ挙げておく。
【００１７】
主制御装置２２は、後述する表裏一対の第１ボックス２００と第２ボックス２０１によって構成される横長の矩形状の基板ボックス３０と、この基板ボックス３０内に収容される平板形状の主基板２３（後掲の図１１参照）とからなっている。
第１ボックス２００と第２ボックス２０１は透明または半透明の樹脂で形成される。
主制御装置２２を保持した可動ベース部１００を起立姿勢にすることにより、基板ボックス３０が背板２ｃにそって平行になって、内部の主基板２３の表面が筐体本体２の正面側から視認可能となる一方、可動ベース部１００を傾倒姿勢にすることにより、基板ボックス３０も筐体本体２の正面側に傾倒して内部の主基板２３の裏面が視認可能となるように構成されている。
【００１８】
以下、各部の詳細について説明する。
なお、左右が対となっている構成について個々に特有のものは参照番号にＬまたはＲの識別符号を付して説明し、共通の場合には識別符号を付さないで説明する。また、複数の同種のものにａ、ｂ、ｃ、・・の識別符号を付した場合も同様とする。
まず、台座装置２５の固定ベース部５０（５０Ｌ、５０Ｒ）は左右に分離した樹脂成形品で、それぞれ背板２ｃに固定されている。
図４は左側の固定ベース部５０Lを示す斜視図、図５は側面図である。
固定ベース部５０Lは、背板２ｃへの取付面となる縦壁５１と、縦壁５１の下部から前方へ延びた底部ブロック５２と、底部ブロック５２に連なって縦壁５１の下部の外側端縁（可動ベース部１００の左側では左側端縁、右側では右側端縁）から前方へ延びるヒンジ支持壁５３とを有する。
【００１９】
ヒンジ支持壁５３は左右方向内方へ延びるヒンジ軸５４を備えている。ヒンジ軸５４は円筒形状で、可動ベース部１００の軸筒１１５（後掲の図６参照）に挿入されて可動ベース部１００を支持する。
縦壁５１は幅狭の上端から内方側へ幅広となった下部へ幅が変化している。
縦壁５１上部の周囲よりも一段高くなった段部５１ａからは、ヒンジ支持壁５３の上方を姿勢保持部６２が前方へ延びている。姿勢保持部６２は、可動ベース部１００の上部を係止することにより可動ベース部１００を起立姿勢位置に保持するためのもので、その先端に爪６３を有している。
【００２０】
また、ヒンジ支持壁５３の上縁にそって、左右方向内側に所定幅のフランジ状の補強壁５５が段部５１ａの下端からヒンジ軸５４を越える位置まで設けられ、補強壁５５はその後下方へ曲がり底部ブロック５２まで延びている。
補強壁５５は縦壁５１からその曲がり部までの間、ヒンジ軸５４から所定の間隙を保持している。そして、補強壁５５の曲がり部近傍とヒンジ軸５４の間をつないで、リブ形状の第１回動ストッパ５６が形成してある。
【００２１】
底部ブロック５２の上面５７はヒンジ軸５４の周面に対して所定間隙をもって平行な円筒面の一部をなす一方、その前端部はヒンジ軸５４からこの所定間隙よりも離間して、上下方向の傾斜面を備える第２回動ストッパ５８となっている。
可動ベース部１００に主制御装置２２を取り付けた状態で、主制御装置２２をヒンジ軸５４まわりに傾倒させたとき、可動ベース部１００の後述の係止バー１３４が第１回動ストッパ５６に当接するとともに、基板ボックス３０の前壁３１から可動ベース部１００の前壁部１０５にかかる部分が第２回動ストッパ５８に当接して所定の傾倒姿勢位置となるように設定してある。
【００２２】
縦壁５１や底部ブロック５２の外形は剛性を持たせるため厚肉となっているが適宜の肉抜きを施してある。
なお、以下に説明する他の部材やその各部位にも肉抜きが施されているが、とくに個別には言及しない。
背板２ｃへの取り付けのため、縦壁５１の裏面上部にはフック６０が形成され、縦壁５１の下部内方端にはヒンジ軸５４と略同じ高さ位置に凹部６５を形成してその底壁にネジ挿通穴６６が設けてある。さらに、縦壁５１の下部外方端には裏面に開口する不図示のネジ孔も形成してある。
右側の固定ベース部５０Ｒは固定ベース部５０Ｌと左右対称であるほかは同一である。
【００２３】
図６は可動ベース部１００を示す斜視図である。
可動ベース部１００は合成樹脂製で、主制御装置２２（基板ボックス３０）の下端壁３４（図８参照）を受ける載置部１０２と、載置部１０２の左右外側に上下にわたって形成された側部ブロック１０４（１０４Ｌ、１０４Ｒ）と、載置部１０２の後端から上下に延びた後壁部１０６と、載置部１０２の前端縁から下方に延びる前壁部１０５と、前壁部１０５と後壁部１０６とに連なって載置部１０２と平行に延びる下壁部１０７を有している。載置部１０２と下壁部１０７の間は複数の区画からなる封止部１０８となる。
【００２４】
なお、封止部１０８における第１区画１０９ａは基板ボックス３０を構成する第１ボックス２００と第２ボックス２０１間を封止キャップで封止した第１の封止結合部７０を収容する部分であり、第２区画１０９ｂは同じく第１ボックス２００と第２ボックス２０１間を封止ピンで封止する第２の封止結合部７１を収容する部分である。
また、第３、第４区画１０９ｃ、１０９ｄはそれぞれ基板ボックス３０と可動ベース部１００間を封止する第３の封止結合部７２のための封止構造形成部７５ｂを備えている。
【００２５】
側部ブロック１０４は、載置部１０２から上方に延びてその全長にわたって後縁が後壁部１０６の左右両端に連なっている側端壁１１２と、載置部１０２より下側で外方（側部ブロック１０４Ｌでは左方、側部ブロック１０４Ｒでは右方）に向けて開口する軸筒１１５を備える軸受部１１４と、側端壁１１２の前縁から内方に延びる保持壁１１６（１１６Ｌ、１１６Ｒ）と、側端壁１１２より外方に張り出した取っ手兼係止部１２０（１２０Ｌ、１２０Ｒ）とを有する。
【００２６】
側端壁１１２の上端は、載置部１０２に載置した基板ボックス３０の高さの略中間位置まで達する高さに設定されている。
保持壁１１６は側端壁１１２に沿った一定幅のフランジ状である。
側端壁１１２、保持壁１１６および後壁部１０６とでコ字形の溝１１８（１１８Ｌ、１１８Ｒ）を形成している。溝１１８の下端は載置部１０２より一段高い段差面１１９となっている。
取っ手兼係止部１２０は封止部１０８の前壁部１０５と面一に連なった前壁１２１を備え、前壁１２１には指掛け部１２３が形成されるとともに、固定ベース部５０の姿勢保持部６２の爪６３と係止する係止孔１２４が設けてある。
【００２７】
軸受部１１４の下半部は軸筒１１５に沿った円筒面をなし、上半部前面は前壁部１０５の延長部となり、後面は以下に述べる後壁部１０６の凹部、すなわち膨出部１０６ａ部分の後面の延長部となっている。
軸受部１１４には、軸筒１１５の斜め後上方に軸筒１１５の端面よりも外方に突出する係止バー１３４を備えている。係止バー１３４は、可動ベース部１００を傾倒姿勢位置にしたとき固定ベース部５０の第１回動ストッパ５６に当接するものである。
【００２８】
後壁部１０６における側端壁１１２に連なる所定領域は、外面（後面）に固定ベース部５０の縦壁５１を逃げる凹部を形成するため、内側へオフセットしており、その分だけ溝１１８に及ぶ膨出部１０６ａとなっている。
なお、後壁部１０６の上縁は左右の所定範囲が側端壁１１２の上端と同じ高さで、左右方向中央部ではより低い直線状で、その間は傾斜しており、後方から見たとき谷形状を呈している。後壁部１０６の上縁端面には複数の突起１３２が形成されている。
とくに図示しないが、後壁部１０６から下壁部１０７にかけては軸筒１１５と同心の円筒面となっている。
【００２９】
封止部１０８の左右両端には、前壁部１０５から後壁部１０６までの貫通穴１２９が形成されている。この貫通穴１２９は、軸筒１１５に固定ベース部５０のヒンジ軸５４を挿入し姿勢保持部６２の爪６３を係止孔１２４に係止させて、後壁部１０６を固定ベース部５０の縦壁５１に沿わせたとき、固定ベース部５０のネジ挿通穴６６に整合するように設定されている。
載置部１０２には貫通穴１２９に開口する連通穴１３０が後壁部（膨出部１０６ａ）に接して設けてあり、後述する基板ボックス３０の突片４０を受け入れるようになっている。
【００３０】
右側の側部ブロック１０４Ｒの保持壁１１６Ｒは、外形が厚肉で、その前端面は取っ手兼係止部１２０Ｒの前壁１２１と面一となっている。
保持壁１１６Ｒの前端面に開口する凹部１２７の底壁には、基板ボックス３０の固定用ネジ孔３９に対応させて、ネジ挿通穴１２８（図７参照）が設けてある。
右側の側部ブロック１０４Ｒにおける溝１１８Ｒは前後幅一定である。
【００３１】
本実施の形態では、後述するように、基板ボックス３０の前壁３１の左端部にケーブル２７のコネクタ２８と接続する主基板２３（図１１参照）のソケット４５を挿通させるためのソケット挿通穴２０３が設けられ、基板ボックス３０と側部ブロック１０４Ｌの境界に跨ってコネクタカバー３００の取付部が形成される。このため、左側の側部ブロック１０４Ｌは右側の側部ブロック１０４Ｒとは一部異なる構造を有する。
図７は左側の側部ブロック１０４Ｌを示す斜視図である。
側部ブロック１０４Ｌにおいては、保持壁１１６Ｌ自体は薄板状で、その前端面は取っ手兼係止部１２０Ｌの前壁１２１よりも後方へ退避している。したがって、保持壁１１６Ｌの前端面は取っ手兼係止部１２０Ｌの側壁１２２から内方へ延びる形態となっている。
【００３２】
左側の保持壁１１６Ｌは上半部１１６ａが下半部１１６ｂに対して前方へわずかにオフセットしており、このため溝１１８Ｌは相対的に上半部の前後幅が下半部よりも広くなっている。薄板状の下半部１１６ｂは載置部１０２まで延びている。
保持壁１１６Ｌの上半部１１６ａの前端面上にはケーブル押え１４０が一体に設けられ、下半部１１６ｂには右側の保持壁１１６Ｒと同様に、基板ボックス３０の固定用ネジ孔３９に対応させて、ネジ挿通穴１２８が設けてある。
さらに下半部１１６ｂの前端面上には第１の剥し方向係止部２２０ｅと第２のスライド方向係止部２４０が設けてある。
ケーブル押え１４０や各係止部２２０ｅ、２４０については追って詳細に説明する。
【００３３】
以上の構成を有する台座装置２５は、まず、固定ベース部５０を、そのヒンジ軸５４を可動ベース部１００の軸筒１１５に挿入して、可動ベース部１００を左右から挟む形に組み付ける。そして、固定ベース部５０の各フック６０をそれぞれ背板２ｃ側に設けられた不図示のフック受けに係止させる。
つぎに、相対的に可動ベース部１００の起立姿勢位置、すなわち可動ベース部の後壁部１０６と固定ベース部５０の縦壁５１を重ねた状態にすると、可動ベース部１００の貫通穴１２９が固定ベース部５０のネジ挿通穴６６に重なるから、ドライバで貫通穴１２９を通してネジ挿通穴６６から筐体本体２の背板２ｃ内側の対応する箇所に予め設けられているナット部にネジをねじ込んで固定ベース部５０を背板２ｃに固定する。
【００３４】
背板２ｃの背面側からも、背板２ｃに形成した不図示のネジ挿通穴を通してネジを縦壁５１の裏面に開口するネジ孔にねじ込む。これにより、固定ベース部５０は背板２ｃに対して前方および後方の両方から固定されるので、前方または後方の一方からのみでは背板２ｃから取り外すことができない。
可動ベース部１００はこのように背板２ｃに固定された固定ベース部５０のヒンジ軸５４を軸筒１１５に挿入されて支持されているので、背板２ｃに固定された固定ベース部５０から取外すことはできない。
【００３５】
次に、主制御装置２２の構成について説明する。
図８は主制御装置２２を前方から見た外観斜視図、図９は主制御装置２２を後方から見た斜視図である。
基板ボックス３０は表側の第１ボックス２００と裏側の第２ボックス２０１とからなっている。
基板ボックス３０の外形の基本前後幅(基本厚さ）は、可動ベース部１００における前壁部１０５の前面から後壁部１０６の後面間の距離に一致させてある。
主基板２３は、ネジなどにより例えば第１ボックス２００の内側に取り付けられて基板ボックス３０の内部に収容される。主基板２３上には、配線パターンが形成されるとともに、ＣＰＵやＲＯＭ等のＩＣチップを含む各種電子部品等が実装され、外部のケーブル２７との接続のためのソケット４５が固定されている。
【００３６】
基板ボックス３０の前壁３１には、左端部に前述の主基板２３上のソケット４５を挿通させるためのソケット挿通穴２０３が形成され、右端部にはリセットボタン等をカバーしてドア２０５を備える操作ボタンカバー部２０４が膨出している。図８では、ソケット４５のロックレバー４６が直立位置でソケット挿通穴２０３から突出している状態が示されている。
第１ボックス２００と第２ボックス２０１間は不図示の係止爪やネジ等で結合されるとともに、初期状態では基板ボックス３０の下端部において、例えば特願２０１０−１５８１９９に開示された第１封止部３４と同様の、封止キャップを用いた第１の封止結合部７０により結合状態が封止される。
【００３７】
なお、基板ボックス３０の下端部には、第１の封止結合部７０に隣接して、第１ボックス２００と第２ボックス２０１間の結合を封止するための第２の封止結合部７１（図３参照）を形成する封止構造形成部７４が設けてある。
さらに、第２の封止結合部７１に隣接して、可動ベース部１００との結合を封止するための第３の封止結合部７２（図３参照）を形成する２つの封止構造形成部７５ａ、７５ａが設けてある。
第３の封止結合部７２は内部点検等のため第１の封止結合部７０を破壊して封止解除した後の再封止に使用するものであって、可動ベース部１００との封止によって同時に第１ボックス２００と第２ボックス２０１間の結合も封止する。
【００３８】
第２の封止結合部７１は複数の第３の封止結合部７２を順次に使用し尽くしたあと、主基板２３の検査等が必要になった場合には、主基板２３を基板ボックス３０ごとメーカーへ返送できるように基板ボックス３０自体を封止するものである。
封止構造形成部７４、７５ａは例えば特願２０１０−１５８１９９に開示された第２、第３封止部３６、３８における筒状体２５５と同様に筒状をなし、主基板ユニット２０専用に準備された封止ピンを使い回しして挿入することにより封止を行う。
ここでは、これらにより基板ボックス３０自体、あるいは基板ボックス３０と可動ベース部１００間が封止結合されることのみ述べて、その詳細説明は省略する。
【００３９】
基板ボックス３０は、左右の側壁３５（３５Ｌ、３５Ｒ）間の長さを可動ベース部１００の左右の保持壁１１６Ｌ、１１６Ｒの各内側端縁間の距離に対応させてある。
基板ボックス３０の左右両端の上部には、それぞれ側壁３５よりも左右外方に張り出した側方張出し部３７（３７Ｌ、３７Ｒ）を有する。さらに、側方張出し部３７の下側には、側壁３５から同様に左右外方に張り出すが、側方張出し部よりも少ない張り出し量で下端壁３４近くまで延びる被保持部３８（３８Ｌ、３８Ｒ）を有している。
【００４０】
側方張出し部３７Ｌ、３７Ｒを含んだ基板ボックス３０の左右方向長さは可動ベース部１００の左右の側部ブロック１０４の側端壁１１２の外端面間の距離に一致するよう設定され、また、被保持部３８は側部ブロック１０４の各溝１１８にそれぞれ整合して嵌まり込むよう設定されている。
なお、右側の被保持部３８Ｒの前端面は上下に渡って平坦面であるが、左側の被保持部３８Ｌの前端面は上下方向中間位置に段差を有して、上半部が下半部よりも前方へオフセットしている。これは、保持壁１１６Ｌの上半部１１６ａおよび下半部１１６ｂに対応するものである。
【００４１】
そして、載置部１０２に基板ボックス３０を載置したとき、基本的に可動ベース部１００から露出した基板ボックス３０の外壁面と可動ベース部１００の外壁面とが面一に連なるようになっている。
このため、基板ボックス３０の後壁３２も可動ベース部１００の後壁部１０６および膨出部１０６ａに対応して基本外形から退避したオフセット領域４２ａ、４２ｂを有している。
後壁３２のオフセット領域４２ａにおける可動ベース部１００の後壁部１０６の上縁に対向する周面には、突起１３２に対応する係止穴４３が形成されている。
また、被保持部３８の下端もオフセットさせて、下端壁３４からの高さが可動ベース部１００における溝１１８の段差面１１９の高さに対応させてある。
【００４２】
右側の側方張出し部３７Ｒは基本前後幅のまま張り出し、右側の側部ブロック１０４Ｒ周りの各壁部外面はその境界部分で面一となるようにしてある。
一方、左側の側方張出し部３７Ｌの上半部は基本前後幅のままであるが、下半部は後述する切欠き２１２により、基本前後幅より薄くなっている。切欠き２１２はソケット４５に接続されたコネクタ２８から延びるケーブル２７を引き出すケーブル通路２４の一部を形成するが、これについては後述する。
前述のように、載置部１０２に基板ボックス３０を載置したとき、可動ベース部１００から露出した基板ボックス３０の外面と左側の側部ブロック１０４Ｌまわりの各壁部外面との間でもその境界部分で基本的に面一となるが、ただし、保持壁１１６Ｌの前端面上には第１の剥し方向係止部２２０ｅ、第２のスライド方向係止部２４０、ケーブル押え１４０などが形成されているので、保持壁１１６Ｌまわりでは単純に面一とはなっていない。
【００４３】
基板ボックス３０の下端壁３４の左右両端には、突片４０が形成されている。突片４０は下端壁３４の後端縁から下方に延びており、基板ボックス３０が可動ベース部１００に載置されたとき載置部１０２の連通穴１３０に進入して貫通穴１２９を塞ぐように設定される。これによって基板ボックスが設置された状態で固定ベースが外されてしまうことを防止することができる。
主基板ユニット２０（基板ボックス３０）は固定ベース部５０Ｌ、５０Ｒを介してスロットマシン１の筐体内に支持された可動ベース部１００に載置され、この載置状態においてソケット４５にケーブル２７のコネクタ２８が接続される。そしてこの後、このコネクタ接続部ＣＯＮ１にコネクタカバー３００が取り付けられる。
【００４４】
つぎに、コネクタカバーの取り付け部について説明する。
図１０はコネクタカバー３００の取り付け部を示す部分拡大正面図、図１１は図１０におけるＡ−Ａ部断面図である。
前述のように、コネクタカバー３００はソケット４５とケーブル２７のコネクタ２８との接続部をカバーするもので、その取り付け部はソケット挿通穴２０３を囲んで基板ボックス３０と可動ベース部１００に跨って形成されたカバー嵌め込み領域２１０として区画されている。
なお、ここでは可動ベース部１００を支持している固定ベース部５０は図示省略している。
【００４５】
カバー嵌め込み領域２１０の平面形状はコネクタカバー３００の後述するベース３０５の外周縁形状に対応し、可動ベース部１００にかかる領域を含んで矩形をなしている。
まず、基板ボックス３０においては、カバー嵌め込み領域２１０は前壁３１（第１ボックス２００）の表面（前面）からの底壁２１１の深さがコネクタカバー３００の後述のベース３０５の板厚に対応する凹部として、ソケット挿通穴２０３を囲んで形成してある。
カバー嵌め込み領域２１０は前壁３１の上下にわたって延びており、上端は上端壁３３を残し、下端は下端壁３４を抜けて素通しとなっている。なお、左側の側壁３５Ｌに沿う部分は当該側壁で切り落とされている。
【００４６】
コネクタカバー３００との係止のため、カバー嵌め込み領域２１０の底壁２１１には第１の剥し方向係止部２２０（２２０ａ、２２０ｂ、２２０ｃ、２２０ｄ、２２０ｅ）を設けてある。ここでは、第１の剥し方向係止部２２０ａ、２２０ｂ、２２０ｄ、２２０ｃが基板ボックス３０側におけるソケット挿通穴２０３の右側の上端部、中間部、下端近傍、そしてソケット挿通穴２０３の左側の上端部に配設され、第１の剥し方向係止部２２０ｅが可動ベース部１００側の下端近傍に配設されている。
【００４７】
また、とくに図１１に示すように、底壁２１１には、ソケット４５の上下長さに対応する幅の切欠き２１２が、ソケット挿通穴２０３から側壁３５Ｌおよび側方張出し部３７Ｌ下半部それぞれの外方端面に開口するまで形成されている。すなわち、切欠き２１２は側壁３５Ｌと側方張出し部３７Ｌの双方に跨り、カバー嵌め込み領域２１０の底壁２１１より深いケーブル通路２４の一部となる。
なお、図１０において、符号７８は保持壁１１６のネジ挿通穴１２８から基板ボックス３０の固定用ネジ孔３９に締め込んで可動ベース部１００と基板ボックス３０を固定したネジである。
【００４８】
図１２は第１の剥し方向係止部を拡大して示し、（ａ）は底壁２１１上端部の第１の剥し方向係止部２２０ａの正面図、（ｂ）は（ａ）におけるＢ−Ｂ部断面図、（ｃ）は（ａ）におけるＣ−Ｃ部断面図である。図１２の（ｄ）は底壁２１１下端近傍の第１の剥し方向係止部２２０ｄにおける（ｂ）に相当する断面図である。
第１の剥し方向係止部２２０ａは、所定幅を有して底壁２１１の表面（前面）から所定の深さまで形成された幅広溝部２２１ａと、幅広溝部２２１ａに同幅で連通する空間２２２の前面開口部をスリット２２３を残して覆った引掛部２２４ａとからなっている。スリット２２３はコネクタカバー３００における後述の係止部３１５のリブ３１７との干渉を逃げるためのものであり、ソケット挿通穴２０３と並行に上下方向に延び、幅広溝部２２１ａのソケット挿通穴２０３側の辺に沿っている。
また、幅広溝部２２１ａの上下方向サイズはコネクタカバー３００の係止部３１５ａが進入可能に設定してある。
【００４９】
引掛部２２４ａは上下方向に沿って厚さ一定で、その表面は底壁２１１と面一であるとともに、裏面と幅広溝部２２１ａの溝底２２５ａとは高さ（前後）方向に係止部３１５ａの後述する引掛部３１６ａの進入を可能とする所定の間隙を有している。
引掛部２２４ａは、コネクタカバー３００の引掛部３１６ａを幅広溝部２２１ａから進入させて当該引掛部２２４ａの裏面側に位置させたとき、引掛部３１６ａの剥し方向（底壁２１１に対する垂直方向）への抜けを阻止する。
なお、幅広溝部２２１ａに連通する空間２２２はスリット２２３と引掛部２２４ａの成形型を通すため、溝底２２５ａが切欠かれている。
【００５０】
とくにソケット挿通穴２０３右側の上端部と中間部に設けた第１の剥し方向係止部２２０ａ、２２０ｂの間には、図１０にも示すように、各スリット２２３を結ぶ線上にスリット２２３と同幅の細溝２１３ａが形成されて、一方の幅広溝部２２１ａから他方の空間２２２に連通している。細溝２１３の深さは幅広溝部２２１ａの深さと同じになっており、コネクタカバー３００の後述する延長リブ３１８ａを受け入れ可能となっている。
【００５１】
第１の剥し方向係止部２２０ａと２２０ｂは同一形態であるが、第１の剥し方向係止部２２０ｃは２２０ａに対して左右対称となっている。図１０に示すように、第１の剥し方向係止部２２０ｃの空間には短い細溝２１３ｂが連なっている。
第１の剥し方向係止部２２０ｄは、図１２の（ｄ）に示すように、引掛部２２４ｄの下端の厚さが引掛部２２４ａと同じで上方に行くにしたがって厚さが増大して、裏面が直線的な傾斜面となっている点が異なり、その他は引掛部２２４ａと同じである。コネクタカバー３００の引掛部３１６ｄが引掛部２２４ｄの裏面側に位置して係止する。
【００５２】
下端近傍の第１の剥し方向係止部２２０ｄの上方に隣接して、さらに第１のスライド方向係止部２３０を設けてある。
図１３は第１のスライド方向係止部２３０を拡大して示し、（ａ）は正面図、（ｂ）は（ａ）におけるＤ−Ｄ部断面図、（ｃ）は（ａ）におけるＥ−Ｅ部断面図である。
第１のスライド方向係止部２３０は、底壁２１１に第１の剥し方向係止部２２０ａの幅広溝部２２１ａと同様の幅をもって底壁２１１の右側辺縁に沿って形成した幅広溝部２３１内の右側側壁に爪部２３２を形成して構成されている。
【００５３】
爪部２３２は上端に幅広溝部２３１の溝幅中間まで延びた係止面２３３を有し、その下側に右側側壁に向かう傾斜面２３４を有している。係止面２３３は上下方向に対して垂直である。
爪部２３２の係止面２３３から傾斜面２３４にわたる前縁は面取りされている。
幅広溝部２３１の深さは幅広溝部２２１ａよりも深く、爪部２３２は幅広溝部２３１の深さの中間に位置しており、爪部２３２と溝底２３６とは高さ（前後）方向に所定の間隙を有している。
なお、溝底２３６から所定の間隙を有する爪部２３２の成形型のため、溝底２３６は爪部２３２に対応する部分が切欠かれている。
【００５４】
つぎに可動ベース部１００においては、保持壁１１６Ｌの上半部１１６ａの前端面が、可動ベース部１００に基板ボックス３０を載置したときの切欠き２１２の底面と面一となるように設定してある。これにより、上半部１１６ａの前端面と切欠き２１２とでケーブル通路２４が形成される。
【００５５】
ケーブル押え１４０は、図７に示されるように、保持壁１１６Ｌの上半部１１６ａ前端面の下端から前上方へ斜めに立ち上がった脚壁１４１と、脚壁１４１の前端から上半部１１６ａと平行に保持壁１１６Ｌの上端に対応する位置まで延びる押えバー１４２とからなっている。脚壁１４１の近傍には押えバー１４２の倒れを防止する支持脚１４３が形成されている。
図１４は図１０におけるＷ−Ｗ部断面図である。
脚壁１４１の上端（前端）部には第２の剥し方向係止部として下方に開口する係止穴２２８が形成され、コネクタカバー３００の後述する係止片３１４が進入可能となっている。
【００５６】
保持壁１１６Ｌの下半部１１６ｂの前端面上にはネジ挿通穴１２８より下方に第２のスライド方向係止部２４０が設けられ、さらにその下方には前述の第１の剥し方向係止部２２０ｅが設けてある。
図１５は第２のスライド方向係止部２４０を拡大して示し、（ａ）は正面図、（ｂ）は（ａ）におけるＦ−Ｆ部断面図、（ｃ）は（ａ）におけるＧ−Ｇ部断面図である。
第２のスライド方向係止部２４０は、上端に上下方向に垂直な係止面２４３を有し、その下側に内方へ傾斜する傾斜面２４４を有する爪部２４２で構成されている。係止面２４３は下半部１１６ｂの内方端縁から下半部１１６ｂの幅の中間まで延びている。
【００５７】
第２のスライド方向係止部２４０の下方には、取っ手兼係止部１２０Ｌの側壁１２２に連なり下半部１１６ｂから全幅にわたって前方へ立ち上がった２つの横支持壁２４６、２４７（図７参照）が上下方向に所定の間隔を置いて設けてある。
横支持壁２４６の上側には、当該横支持壁２４６の一部を下辺とする矩形枠形状のベース受け部２５０が下半部１１６ｂの内方端縁に沿って形成され、その上端が爪部２４２の傾斜面２４４の下端に連なっている。
【００５８】
図１６は第１の剥し方向係止部２２０ｅを拡大して示し、（ａ）は正面図、（ｂ）は（ａ）におけるＨ−Ｈ部断面図、（ｃ）は（ａ）におけるＪ−Ｊ部断面図である。
第１の剥し方向係止部２２０ｅは基板ボックス３０側の第１の剥し方向係止部２２０ｄの引掛部と同じ引掛部２２４ｄを側壁１２２から内方へ延ばしている。
第１の剥し方向係止部２２０ｅの引掛部２２４ｄは第１の剥し方向係止部２２０ｄの引掛部２２４ｄと上下方向で互いに同じ高さとなる位置に設定してある。第１の剥し方向係止部２２０ｅの引掛部２２４ｄの上端は横支持壁２４６に連なっている。
そして、２つの横支持壁２４６、２４７の間が第１の剥し方向係止部２２０ｅの幅広溝部２２１ｅを構成し、下半部１１６ｂの前端面がその溝底２２５ｅとなる。引掛部２２４ｄの裏面と溝底２２５ｅの間は十分な間隙があり、コネクタカバー３００の係止部３１５ｅの後述する引掛部３１６ｄの進入が可能である。
【００５９】
第１の剥し方向係止部２２０ｅの引掛部２２４ｄを含み、上述した爪部２４２、横支持壁２４６、２４７およびベース受け部２５０の前端面はいずれも可動ベース部１００に基板ボックス３０を載置したときの基板ボックス３０におけるカバー嵌め込み領域２１０の底壁２１１と面一となるように設定してある。また、側壁１２２にも引掛部２２４ｄ、横支持壁２４６、２４７等と同じ高さで段差１２２ａを形成してある。
可動ベース部１００においては、保持壁１１６Ｌ（上半部１１６ａおよび下半部１１６ｂ）における側壁１２２より内方側がカバー嵌め込み領域２１０の一部となる。
【００６０】
図７に示されるように、載置部１０２の両端と段差面１１９との間には接続壁１１７が設けられ、接続壁１１７は保持壁１１６Ｌ（下半部１１６ｂ）を越えて載置部１０２の前端部分まで延び、下半部１１６ｂを越えた部分の上縁は下側の横支持壁２４７の内方端に連なっている。
そして、図１０におけるＫ−Ｋ部断面図である図１７に示すように、基板ボックス３０および可動ベース部１００のカバー嵌め込み領域２１０に対応する前壁部１０５から取っ手兼係止部１２０Ｌの前壁１２１にかけて、載置部１０２の前端縁およびその外方（左方）への延長線上の角部が切り欠かれて、傾斜面２５２となっている。
接続壁１１７の前端面は傾斜面２５２と同じ傾斜でカバー嵌め込み領域２１０の底壁２１１と同じ高さにある横支持壁２４７の前端面に向かっている。
【００６１】
図１８はコネクタカバー３００を示し、（ａ）は正面図、（ｂ）は左側面図、（ｃ）は右側面図、（ｄ）は下方から見た端面図である。図１９はコネクタカバー３００の裏面図である。図２０は各部の断面を示し、（ａ）は図１８の（ａ）におけるＬ−Ｌ部、（ｂ）は図１８の（ａ）におけるＭ−Ｍ部の断面図、（ｃ）は図１９におけるＸ−Ｘ部の断面図、（ｄ）は図１９におけＮ−Ｎ部の断面図、（ｅ）は図１９におけＹ−Ｙ部の断面図である。
コネクタカバー３００は樹脂製で、外縁が縦細の矩形をなすベース３０５からコネクタ収容部３０６を膨出させている。コネクタ収容部３０６は側辺が不等長の台形をなす横断面を有している。ベース３０５の下端縁は裏面側が面取りされて傾斜面３４５となっている。
【００６２】
コネクタカバー３００は下部において微小なスリットにより長尺の第１部３０１とそれぞれ短尺の第２部３０２および第３部３０３に３分割され、ベース３０５の左右の側縁からそれぞれ延びる耳片３０７、３０８によって連結されている。
コネクタカバー３００の第１部３０１には、コネクタ収容部３０６に連なって、可動ベース部１００のケーブル押え１４０に対応させたケーブル押え収容部３１０が膨出させて形成されている。
【００６３】
各耳片３０７、３０８はベース３０５の第１部３０１の分割端近傍から第３部３０３の分割端近傍にわたる側縁に沿ってフランジ状に形成されているが、とくに、左側の耳片３０７はベース３０５から前方へ垂直に延び、右側の耳片３０８は先端がコネクタ収容部３０６から離間する方向に傾斜して延びている。
第１部３０１の分割端と第３部３０３の分割端にはそれぞれ外面側に突のビード３４３が設けられて、断面形状保持の補強となっている。
耳片３０７、３０８には第１部３０１から第３部３０３の各部との接続部分の間に切欠き３０９が形成されて、当該切欠き３０９で細幅となった部分が易破断部となっている。
【００６４】
第３部３０３におけるコネクタ収容部３０６の下端壁３０６ｃはベース３０５から上方へ傾斜しており、その外面にはベース３０５と平行な多数のリブ３４０を並べた指押し部３３９が形成されている。
また第１部３０１の上端部には、コネクタ収容部３０６の前壁３０６ａ（山形断面の上面）およびケーブル押え収容部３１０側の側壁３０６ｄから上端壁３０６ｂを経てベース３０５に延びる薄板状のフィン３３７が、図１８の（ａ）の正面図においてコネクタカバー３００の長手方向に対して右上方向に傾斜させて互いに平行に３枚形成されている。
【００６５】
同様に、ケーブル押え収容部３１０の上端部にも、その前壁３１０ａから上端壁３１０ｂを経てベース３０５に延びる２枚の薄板状のフィン３３８が左上方向に傾斜させて互いに平行に形成されている。
フィン３３７、３３８はベース３０５に対して垂直に立ち上がっている。なお、フィン３３７の前縁の前方向高さは、同一である必要はなく、互いに異なる高さとしてもよい。また、フィン３３７、３３８の傾斜方向は任意であり、例えば図１８の図示と逆方向でもよい。
【００６６】
コネクタカバー３００のベース３０５の裏面には、カバー嵌め込み領域２１０における第１の剥し方向係止部２２０に対応する係止部３１５（３１５ａ、３１５ｂ、３１５ｃ、３１５ｄ、３１５ｅ）と、第２の剥し方向係止部（係止穴２２８）に対応する係止片３１３と、第１のスライド方向係止部２３０に対応する係止部３２０と、第２のスライド方向係止部２４０に対応する係止部３３０が形成されている。
【００６７】
図２１は剥し方向にかかる係止部３１５ａを示し、（ａ）は図１９における係止部３１５ａの拡大図、（ｂ）は（ａ）におけるＰ−Ｐ矢視図、（ｃ）は（ａ）におけるＱ−Ｑ部断面図である。
係止部３１５ａは、ベース３０５から後方へ延びる片ｖとその後端から上方へ延びる片ｗとからなるＬ字状の引掛部３１６ａを有し、その内方側（コネクタ収容部３０６側）をベース３０５から上方へ延びる片ｗまで立ち上げたリブ３１７に接続して構成されている。上方へ延びる片ｗとベース３０５裏面との間隙は第１の剥し方向係止部２２０ａの引掛部２２４ａの厚さに対応させてあり、リブ３１７の左右方向位置はスリット２２３に対応させてある。
係止部３１５ｂは係止部３１５ａと同一、係止部３１５ｃは係止部３１５ａと左右対称である。
【００６８】
図１９に示すように、係止部３１５ａと３１５ｂの間にはこれらの係止部のリブ３１７を結ぶ上下線上に位置してベース３０５の側縁に沿った延長リブ３１８ａが接続している。
係止部３１５ｃにも後方へ延びる片ｖより下方に所定長さの延長リブ３１８ｂが接続している。
なお、係止部３１５ｄにおいては、図２１の（ｂ）に対応する図２２に示すように、引掛部３１６ｄの上方へ延びる片ｗをベース３０５裏面との間隙が大きくなるように傾斜させてある。この傾斜は第１の剥し方向係止部２２０ｄの引掛部２２４ｄ裏面の傾斜に対応させてある。その他は図２１に示した係止部３１５ａと同じである。
係止部３１５ｅは係止部３１５ｄと左右対称である。
【００６９】
図２３はスライド方向にかかる係止部３２０を示し、（ａ）は図１９における係止部３２０の拡大図、（ｂ）は（ａ）におけるＲ−Ｒ矢視図、（ｃ）は（ｂ）におけるＳ−Ｓ部断面図、（ｄ）は（ｂ）におけるＴ−Ｔ部断面図である。
係止部３２０は、ベース３０５の長手方向（上下方向）と平行にベース３０５から後方へ延びた矩形の縦壁部３２１に、第１のスライド方向係止部２３０の爪部２３２と係止するための矩形の係止穴３２５を形成して構成され、縦壁部３２１は弾性変形により先端側がねじれ、および板厚方向に曲げ可能となっている。
【００７０】
縦壁部３２１は第１のスライド方向係止部２３０の幅広溝部２３１の右側側壁に沿うように配置され、外方側の上縁および先端縁にそれぞれ面取りにより傾斜面３２２、３２３を形成してある。とくに上辺の傾斜面３２２は、（ｃ）に示すように、上下方向に対して浅い角度になっている。
また、係止穴３２５の先端縁（ベース３０５から遠い辺）には、外方側（コネクタ収容部３０６と反対側）に略４５°の傾斜面３２６を形成してある。
【００７１】
図２４はスライド方向にかかる係止部３３０を示し、（ａ）は図１９における係止部３３０の拡大図、（ｂ）は（ａ）におけるＵ―Ｕ矢視図、（ｃ）は（ａ）におけるＶ−Ｖ部断面図である。
係止部３３０は、ベース３０５から後方へ立ち上がったあと上方へ延びる弾性片部３３１と、弾性片部の上端に形成された爪３３２とから構成されている。
弾性片部３３１はベース３０５に対して垂直の板状で、その前縁とベース３０５裏面との間に間隙をもっている。弾性片部３３１が撓んで爪３３２部が左右方向に変位可能となっている。
【００７２】
爪３３２は内方（コネクタ収容部３０６側）を向いており、第２のスライド方向係止部２４０の爪部２４２と係止するための上下方向に垂直な係止面３３３と、その内端から外方へ傾斜する傾斜面３３４を有する。
弾性片部３３１の内側面は第２のスライド方向係止部２４０の爪部２４２における係止面２４３から傾斜面２４４に移行する点に対応するように設定してある。
ベース３０５裏面から弾性片部３３１の後縁までの高さｈは、カバー嵌め込み領域２１０の底壁２１１から保持壁１１６Ｌの下半部１１６ｂの前端面までの深さよりも小さく設定してある。
【００７３】
つぎに、ケーブル押え収容部３１０の下端壁３１０ｂからは、図２０の（ａ）に示すように、係止片３１３がケーブル押え収容部３１０内に向けて前壁３１０ａと間隙をもって上方に延びている。
係止片３１３は可動ベース部１００におけるケーブル押え１４０の係止穴２２８に対応させてあり、係止穴２２８への進入を容易にするため、先端の前角は傾斜面３１４としてある。
なお、前壁３１０ａと間隙をもった係止片３１３をコネクタカバー３００内に形成する成形型のため、ケーブル押え収容部３１０はその前壁３１０ａから下端壁３１０ｂにかけて部分的に切り欠かれている。
【００７４】
コネクタカバー３００の左側の側辺部はケーブル通路２４を横切る間、ベース３０５は底壁２１１と当接せず宙に浮くので、とくに図１９に示されるように、ベース３０５の裏面には側縁に沿ってケーブル押え収容部３１０から延長リブ３１８ｂ近傍にわたるビード３４２を設けて剛性を高くしている。また、ベース３０５の側縁に沿って前方へ立ち上がっているケーブル押え収容部３１０の側壁３１０ｃ（図２０の（ｂ）参照）もベースの剛性を高めている。
【００７５】
以上説明した各係止部はコネクタカバー３００がカバー嵌め込み領域２１０に嵌め込まれた状態、すなわちコネクタカバー３００の上端がカバー嵌め込み領域２１０の上縁（基板ボックスの上端壁３３）に当接する位置において、カバー嵌め込み領域２１０の対応する係止部と係止するように関係付けられる。
すなわち、係止部３１５ａ〜３１５ｃはその各引掛部３１６ａが第１の剥し方向係止部２２０ａ〜２２０ｃの各引掛部２２４ａと重なり、係止部３１５ｄ、３１５ｅはその各引掛部３１６ｂが第１の剥し方向係止部２２０ｄ、２２０ｅの各引掛部２２４ｄと重なり、係止部３２０はその縦壁部３２１の係止穴３２５が第１のスライド方向係止部２３０の爪部２３２と係止関係となる。
また、係止部３３０はその爪３３２の係止面３３３が第２のスライド方向係止部２４０の爪部２４２の係止面２４３と係止関係となる。
【００７６】
なお、第１、第２のスライド方向係止部２３０、２４０に対応する係止部３２０と係止部３３０はコネクタカバー３００の上下方向において略同じ高さに配置され、コネクタカバーの第２部３０２は、上述した係止部のうちこの係止部３２０と係止部３３０とを含み、他の剥し方向係止部２２０等に対応する係止部を含まないように設定してある。
【００７７】
第１部３０１におけるコネクタ収容部３０６の裏面には、コネクタ２８の前端面（背中）に当接可能でコネクタ２８の長手方向中央を挟んで互いに離間した２位置、ここでは上端壁とケーブル押え収容部３１０の上端に対応する位置との中間位置、およびケーブル押え収容部３１０の下端に対応する位置とに押さえ隔壁３５０が設けてある。
図２０の（ｃ）に示すように、押さえ隔壁３５０の後端縁は、コネクタ２８がソケット４５に確実に挿し込まれた状態で、コネクタカバー３００のベース３０５が底壁２１１に着座したときに、コネクタ２８の前端面に当接する高さに設定してある。
【００７８】
さらに、第２部３０２の裏面にはコネクタ収容部３０６を横切る横隔壁３４７、３４８とが設けてある。
図２０の（ｄ）に示すように、横隔壁３４７の後端縁はベース３０５の裏面と面一とされている。
横隔壁３４７の上下方向位置は、カバー嵌め込み領域２１０へのコネクタカバー３００の取り付け完了位置において、ソケット４５に挿し込まれたコネクタを抜け止めロックして底壁２１１に対する直立位置になったロックレバー４６の下方に近接するように設定されている。これにより、コネクタカバー３００の取り付け過程において、横隔壁３４７がロックレバー４６の開放状態である倒れ位置からロック状態の直立位置までの回動軌跡の範囲内を横切ることになる。
横隔壁３４８は第１部３０１との間のスリットに沿って形成され、図２０の（ｅ）に示すように、後端縁はベース３０５の裏面と面一とされているが、ロックレバー４６との干渉を避ける切り欠き３４９を有している。
【００７９】
以上の構成を備えたコネクタカバー３００は、次の要領でカバー嵌め込み領域２１０に嵌め込む。
まず、傾倒姿勢位置とした可動ベース部１００に基板ボックス３０を載置する。
基板ボックス３０の下端壁３４が載置部１０２上に着座するとともに、第１、第３の封止結合部７０、７２や封止構造形成部７５ａ、７６などが第１区画１０９ａ〜第４区画１０９ｄに収容される。また、突片４０が連通穴１３０に進入する。
つぎに、可動ベース部１００の保持壁１１６のネジ挿通穴１２８からネジ７８を基板ボックス３０の固定用ネジ孔３９に締め込んで、基板ボックス３０を可動ベース部１００に固定する。この場合、可動ベース部１００を起立姿勢にして行うと作業が容易となる。
基板ボックス３０が可動ベース部１００に固定されると、両者にわたるカバー嵌め込み領域２１０がコネクタカバー３００嵌め込み可能に準備されたことになる。
【００８０】
固定ベース部５０の姿勢保持部６２と可動ベース部１００の係止孔１２４を係止させて可動ベース部１００を起立姿勢位置に保持した状態で、ケーブル２７のコネクタ２８を基板ボックス３０のソケット４５に挿し込んで接続する。
この際、ケーブル２７はケーブル押え１４０の裏側に潜らせ、ケーブル通路２４を通るように配索する。
なお、コネクタ２８はロックレバーが倒れてソケット４５の口が開いた状態で挿し込む。コネクタ２８がソケット４５に確実に挿し込まれるとその過程においてロックレバーを回動させ、正規の接続状態ではロックレバーが直立位置となってロックされる。
【００８１】
このあと、コネクタカバー３００を取り付ける。
ここではまず、コネクタカバー３００の上下をカバー嵌め込み領域２１０の上下方向に合わせ、コネクタカバー３００裏面の係止部３１５が第１の剥し方向係止部２２０の各幅広溝部２２１（２２１ａ、２２１ｅ）上に位置するように所定量ずらせて対向させる。
そして、ベース３０５を底壁２１１に押し付けて係止部３１５を幅広溝部２２１内に沈ませ、それからその押し付け状態を維持したままコネクタ収容部３０６の下端壁３０６ｃを押して、コネクタカバー３００を上方へスライドさせ、係止部３１５の引掛部３１６（３１６ａ、３１６ｄ）をカバー嵌め込み領域２１０の引掛部２２４（２２４ａ、２２４ｄ）の裏面側に進入させる。この際、コネクタ収容部３０６の下端壁３０６ｃにはリブ３４０により多数の凹凸をなす指押し部３３９が形成されているので指が滑らず、作業が容易である。
【００８２】
ここで、コネクタ２８がソケット４５に対して正規の接続状態に挿し込まれていれば、図２５の（ａ）に示すように、ロックレバー４６が直立位置にあり、コネクタカバー３００はその横隔壁３４７がカバー嵌め込み領域２１０の底壁２１１上を滑って、障碍なくスライドする。
なお、図２５および次の図２６には、理解を容易にするため、断面は異なるがコネクタ接続部と係止部を重ねて示している。
【００８３】
一方、コネクタ２８のソケット４５への挿し込みが不十分で正しく接続されていないときは、ロックレバー４６が回動軌跡の途中にあり、（ｂ）に示すように、横隔壁３４７がロックレバー４６と干渉して係止部３１５を幅広溝部２２１内に沈ませることができず、結果として各引掛部３１６を引掛部２２４の裏面側に進入させることができない。
また、第１部３０１のコネクタ収容部３０６に設けた押さえ隔壁３５０もコネクタ２８の前端面（背中）と干渉する。
したがって、コネクタ２８が相当程度挿し込まれていなければコネクタカバー３００を取り付けることはできないから、あらためてコネクタ２８の挿し込みをやり直し、必要に応じて最後に手でロックレバー４６を直立位置まで起こしてロックする。
【００８４】
なお、横隔壁３４７がロックレバー４６と干渉しない程度までコネクタ２８がソケット４５に挿し込まれていれば、コネクタカバー３００を底壁２１１に押し付けることにより、第１部３０１のコネクタ収容部３０６に設けた押さえ隔壁３５０がコネクタ２８の前端面を押圧するので、コネクタ２８を押し込むことができる。
とくに、２つの押さえ隔壁３５０はコネクタ２８の長手方向（上下方向）の中央を挟んで離間しているので、コネクタ２８が上下方向に傾いている場合にはコネクタカバー３００を意識的に押し付けることにより押さえ隔壁３５０を介してコネクタ２８を正規接続状態に是正することが可能である。
【００８５】
なお、ベース３０５を底壁２１１に押し付けて引掛部３１６を幅広溝部２２１内に位置させた状態において、コネクタカバー３００はその下端部が底壁２１１よりも前方に高いカバー嵌め込み領域外に乗っているので、コネクタカバー３００の下部は湾曲し、ベース３０５裏面が底壁２１１から若干浮くことになる。
ここで、コネクタカバー３００の下端部近傍に位置する係止部３１５ｄ、３１５ｅの各引掛部３１６ｄは、その上方へ延びる片ｗが傾斜してその上端とベース３０５の裏面との間隙が拡がっているので、コネクタカバー３００を上方へスライドさせる際、他位置の引掛部３１５ａ等と同様に支障なくカバー嵌め込み領域２１０の引掛部２２４ｄの裏面側に進入することができる。
なお、可動ベース部１００の載置部１０２の角部を切り欠いた傾斜面２５２により、コネクタカバー３００の湾曲の程度をできるだけ抑えてベース３０５裏面と底壁２１１間の間隙が小さくなるようにしている。
【００８６】
コネクタカバー３００のスライドの間、係止部３２０は、その縦壁部３２１がねじれながら、上縁の傾斜面３２２がカバー嵌め込み領域２１０における爪部２３２の傾斜面２３４に乗り上げていく。
係止部３３０は、その弾性片部３３１が撓みながら、爪３３２の傾斜面３３４がカバー嵌め込み領域２１０における爪部２４２の傾斜面２４４に乗り上げていく。
また、ケーブル押え収容部３１０内に延びる係止片３１３がケーブル押え１４０の係止穴２２８に進入していく。
【００８７】
そして、コネクタカバー３００をその上端縁がカバー嵌め込み領域２１０の上縁に当接するまでスライドさせると、コネクタカバー３００はカバー嵌め込み領域２１０に嵌め込まれた状態の取り付け完了位置となり、ベース３０５が湾曲から平坦な状態へ戻るとともに、コネクタカバー３００とカバー嵌め込み領域２１０の各係止部は互いに係止状態となる。
すなわち、図２６に示すように、係止部３１５ａ（および３１５ｂ、３１５ｃ）の引掛部３１６ａが第１の剥し方向係止部２２０ａ（および２２０ｂ、２２０ｃ）の引掛部２２４ａの裏面側に重なって互いに係止し、係止部３１５ｄ（および３１５ｅ）の引掛部３１６ｄが第１の剥し方向係止部２２０ｄ（および２２０ｅ）の引掛部２２４ｄの裏面側に重なって、コネクタカバー３００の引き剥がし方向の抜けが規制される。
【００８８】
コネクタカバー３００の下端部近傍の係止部３１５ｄ、３１５ｅの引掛部３１６ｄは上方へ延びる片ｗが傾斜してその先端とベース３０５裏面間が開いているが、取り付け完了位置では上方へ延びる片ｗとベース裏面間の間隙が引掛部２２４ｄの板厚形状に整合しているので、ガタの発生はない。
さらに、図２７に示すように、コネクタカバー３００の係止片３１３は係止穴２２８に進入してケーブル押え１４０に係止し、コネクタカバー３００の引き剥がし方向の抜けが規制される。
【００８９】
また、図２８の（ａ）に示すように、係止部３２０の縦壁部３２１の係止穴３２５に第１のスライド方向係止部２３０の爪部２３２が嵌まり込み、係止穴３２５の穴縁と爪部２３２の係止面２３３が係止してコネクタカバー３００の矢示のスライド方向の抜けが規制される。
同様に、図２８の（ｂ）に示すように、係止部３３０の爪３３２の係止面３３３と第２のスライド方向係止部２４０の爪部２４２の係止面２４３が係止して、これによってもコネクタカバー３００の矢示のスライド方向の抜けが規制される。
【００９０】
カバー嵌め込み領域２１０に嵌め込まれた取り付け完了位置で、コネクタカバー３００の下端縁は可動ベース部１００の傾斜面２５２内に位置し、ベース３０５の前面は下端部を含めて周辺の基板ボックス３０の前壁３１および可動ベース部１００の前壁部１０５と面一となる。
なお、板状のベース３０５の裏面には係止部３１５ａ、３１５ｂ間の延長リブ３１８ａ、係止部３１５ｃのリブ３１７に続く延長リブ３１８ｂやビード３４２が形成されて剛性が高められている。またとくに左側の側辺についてはケーブル押え収容部３１０の側壁３１０ｃとも相俟ってベース３０５の剛性が高められているためコネクタカバー３００は撓みにくいものとなっている。
また、図２６に示すように、横隔壁３４７がロックレバー４６の下側に近接するので、ロックレバー４６のアンロック方向の回動が規制され、コネクタ２８のソケット４５からの抜けが防止される。
【００９１】
以上のようにしてコネクタカバー３００がコネクタ接続部ＣＯＮ１のカバー嵌め込み領域２１０に嵌め込まれると、引き剥がし方向の抜けを規制する係止部分はもちろんのこと、スライド方向の抜けを規制する爪部２３２と係止穴３２５の係止部分、および爪部２４２と爪３３２の係止部分もコネクタカバー３００自体の裏面側に隠れる。
そして、ベース３０５の表面（前面）は周辺と面一であるとともに、ベースの周縁は、ケーブル通路２４を横切る部分を除いて、底壁２１１および段差１２２ａ上に着座しているから、これらが周辺との隙間を塞いでおり各係止部分へ外部から直接アクセスすることは不可能である。
また、横隔壁３４８は第１部３０１と第２部３０２間のスリットから近傍に位置する係止部３３０へのアクセスを防止する。
【００９２】
このため、一旦取り付けたコネクタカバー３００はこれをスライドさせることができず、したがって、スライドさせて引掛部３１６と引掛部２２４との係止を解除してから、コネクタカバー３００を引き剥がし方向に取り外すこともできないから、取り付け状態が封止されたことになる。
したがってまた、ネジ挿通穴１２８から基板ボックス３０の固定用ネジ孔３９に締め込まれているネジもコネクタカバー３００によって隠れるので、基板ボックス３０と可動ベース部１００の結合も封止され、可動ベース部１００から基板ボックス３０を取り外すこともできない。
【００９３】
さらに、ドライバなどの工具でコネクタカバー３００の突部であるコネクタ収容部３０６やケーブル押え収容部３１０の各上端部を叩いて、強引にコネクタカバー３００を取り外そうとする場合でも、当該部位に設けられたフィン３３７あるいは３３８が斜めに形成されているので、スライド方向に沿って力が及びにくく、取外しを困難にする。このため、スライド方向に一定以上の力を加えようとすると、フィン３３７、３３８は薄板状であるため容易に破壊されて不正の痕跡が残る。
【００９４】
コネクタカバー３００の封止を解除するには、コネクタカバー３００の第１部３０１、第２部３０２および第３部３０３を連結している耳片３０７、３０８の切欠き３０９が形成された易破断部をニッパなどにより切断することにより、第２部３０２を第１部３０１および第３部３０３から分離する。
なお、本実施の形態ではカバー嵌め込み領域２１０が主基板ユニット２０の左端部に設けられ、筐体本体２内でのスペースに制約の多い部位であることから、左側の耳片３０７は他部材との干渉を避けてベース３０５から前方へ垂直に延ばす一方、右側の耳片３０８は切断作業が容易となるように斜めに延ばしている。
【００９５】
分離された第２部３０２は、スライド方向の抜けを規制するための係止部３２０と係止部３３０のみが形成され、剥し方向の抜けを規制するための係止部を含んでいないから、剥し方向に引き抜くことができる。
すなわち、図２９に示すように、係止部３２０は、係止穴３２５の傾斜面３２６を第１のスライド方向係止部２３０の爪部２３２の傾斜面２３５上に滑らせながら、縦壁部３２１が弾性変形して爪部２３２から離脱する。
また、係止部３３０は、爪３３２の係止面３３３が第２のスライド方向係止部２４０における爪部２４２の係止面２４３上を滑って爪部２４２から離脱する。
【００９６】
この後は、第１部３０１と第３部３０３はいずれもスライド方向の抜けを規制するための係止部を含んでいないから、それぞれ下方へスライドさせることができ、係止部３１５の引掛部３１６を第１の剥し方向係止部２２０の引掛部２２４との係止から解放できる。
こうして、コネクタカバー３００をカバー嵌め込み領域２１０から取り外し、コネクタ接続部へのアクセスが可能となる。
【００９７】
以上のように、コネクタカバー３００を切断破壊し、その痕跡が残ることなしにはコネクタ接続部にアクセスすることができず、コネクタ接続部から制御プログラム等の変更が不正に行われることを確実に防止することが可能となる。
なお、コネクタ２８が正規の接続状態になければコネクタカバー３００を取り付けることはできないので、その時点でコネクタ２８の挿し込みをやり直すことができる。したがって、接続不完全なままで取り付けてしまったあとに気付いて直そうとしても封止されているためにコネクタカバーを破壊しなければならないという事態が避けられる。
【００９８】
次に、先の図８に戻って、基板ボックス３０の前壁３１にはソケット４５のコネクタ接続部ＣＯＮ１に隣接した内側に、下端壁３４に沿って矩形凹部２０８が形成されている。
ここで、下端壁３４は第１ボックス２００の下端壁２０６と第２ボックス２０１の下端壁２０７を突き合わせて構成されている（図９参照）。なお、下端壁２０６から外部には連結部２９７が延びて第１の封止結合部７０を構成するアッパブラケットを支持している（後掲の図３１参照）。
後掲の図３０以下に示すように、矩形凹部２０８の下壁は前壁３１に対して垂直な下端壁２０６の上面である一方、上壁２５５は前壁３１に向かって上方に傾斜している。
この矩形凹部２０８内は左右方向３区画に分割され、中央の区画が前述のソケット４８にかかるコネクタ接続部ＣＯＮ２となっている。
【００９９】
以下、ソケット４８のコネクタ接続部ＣＯＮ２に対するコネクタカバー３６０の取り付け構造について説明する。
図３０はコネクタ接続部ＣＯＮ２を示す拡大正面図、図３１はコネクタ接続部ＣＯＮ２を斜め下方から見た斜視図、図３２はコネクタ接続部ＣＯＮ２を斜め上方から見た斜視図、そして図３３は図３０におけるＡＡ−ＡＡ部断面斜視図である。
なお、コネクタ接続部ＣＯＮ２における方向は図３あるいは図３０における上下左右を指し、手前を前方とする。また、（  ）内は図３３における上下方向を指す。
図３０に示すように、ソケット４８にかかるコネクタ接続部ＣＯＮ２には、ソケット挿通穴２５６を上壁２６１、下壁２６３、側壁２６２および側壁２６４の４壁で囲むコネクタ収容室２６０が形成されている。
【０１００】
すなわち、コネクタ収容室２６０は、ソケット挿通穴２５６が開口する面を底壁２５７とし、上壁２６１は矩形凹部２０８の上壁２５５の傾斜している下面を底壁２５７に対して略垂直に変形させて形成し（後掲の図３４参照）、下壁２６３は下端壁２０６と平行に所定量内側に形成してある。左側の側壁２６４は上壁２６１と下壁２６３間に延び、右側の側壁２６２は上壁２６１と下端壁２０６間に延びている。側壁２６２、２６４および下壁２６３の内壁面も底壁２５７に対して略垂直である。
【０１０１】
底壁２５７からの側壁２６２、２６４および下壁２６３の前縁（上縁）の高さは同一で、当該前縁は前壁３１より後方（下方）へ退避している。なお、コネクタ収容室２６０に対して右側に隣接する区画（右区画）の底壁はコネクタ収容室２６０の底壁２５７と同じ高さであるが、左側に隣接する区画（左区画）の底壁は側壁２６４の上縁と同じ高さとなっている。すなわち、側壁２６４の上縁は左区画の底壁に連なっている。
なお、左区画および右区画にもそれぞれソケット挿通穴が設けられ、ソケットが配置されるが、不正アクセスによって制御に影響を受ける接続部ではないのでこれらについては触れない。
【０１０２】
コネクタ収容室２６０の上壁２６１、側壁２６２、２６４および下壁２６３には、その内壁面にそって前縁からの深さがコネクタカバー３６０の後述のベースの板厚に対応する段差を形成して互いに同一平面をなすカバー受け部２６５（２６５ａ、２６５ｂ、２６５ｃ、２６５ｄ）としてある。すなわち、各壁のカバー受け部２６５の外周で囲まれる範囲がカバー嵌め込み領域２６７となる。
上壁２６１および下壁２６３のカバー受け部２６５ａ、２６５ｃの幅は側壁２６２、２６４のカバー受け部２６５ｂ、２６５ｄよりも幅広である。
【０１０３】
コネクタ収容室２６０には、その周辺にそって６箇所の係止部が設けてある。
まず、第１係止部２７０について説明する。
図３０、図３１および図３３に示すように、第１係止部２７０は、上壁２６１と左側の側壁２６４とが連なる角部に、当該角部と底壁２５７から立ち上がった第１辺２６８ａおよび第２辺２６８ｂからなるＬ字形の枠壁２６８とで囲まれ、底壁２５７を貫通する矩形断面の貫通穴２６９ａを形成してある。
枠壁２６８の上縁はカバー受け部２６５よりも所定量低い高さとなっている。
貫通穴２６９ａは上壁２６１のカバー受け部２６５ａの幅半分ほどまで切り欠いているが、当該部分でも側壁２６２、２６４のカバー受け部２６５ｂ、２６５ｄと同等幅が確保されている。
【０１０４】
側壁２６４のカバー受け部２６５ｄは貫通穴２６９ａの穴縁を円弧で面取りし、枠壁２６８の側壁２６４に対向する第２辺２６８ｂの上縁も貫通穴２６９ａの穴縁を円弧で面取りしてある。
図３０に示すように、貫通穴２６９ａにおける上壁２６１に沿った内壁面には、側壁２６４寄りの略半分に爪２７１が形成されている。
図３４は図３０におけるＡＢ−ＡＢ部断面を示す。
貫通穴２６９ａは底壁２５７の裏面に開口するが、図３４に示すように、爪２７１はその開口位置に係止面２７２を有している。係止面２７２から上部は、所定長さで貫通穴２６９ａの内面に達する傾斜面２７３となっている。爪２７１の左右幅は、後述の係止片４０５の爪４０６ａの幅に略対応させてある。
【０１０５】
貫通穴２６９ａの上下幅は、爪２７１の係止面２７２の突出長さと、係止片４０５の板厚、および爪４０６ａの係止面４０７ａの突出長さの合計に余裕をもたせた値とし、左右幅は爪２７１の左右幅と爪４０６ａの幅の合計に余裕をもたせた値としてある。
とくに、左右幅における爪２７１を除く範囲は係止片４０５（爪４０６ａ）の右方へのスライドを許す逃げ空間Ｓａを形成しており、以下に説明する第２係止部２７５、第５係止部２９０、および第６係止部２９５においても同様の逃げ空間が形成される。
【０１０６】
図３０に示すように、下壁２６３に沿って左側の側壁２６４に連なる角部には、上壁２６１と下壁２６３間の中央を通って左右に延びる中間線Ｌａに関して第１係止部２７０と対称な第６係止部２９５を設けてある。第６係止部２９５は第１辺２９６ａおよび第２辺２９６ｂからなる枠壁２９６を備え、貫通穴２６９ｆを形成している。
貫通穴２６９ｆのサイズおよび爪２７１は、後述の係止片４３０の爪４０６ａとの関係で貫通穴２６９ａと同様である。
【０１０７】
とくに図３３および図３４に示すように、底壁２５７のソケット挿通穴２５６の左側所定位置から左方は、第１係止部２７０および第６係止部２９５間の中間線Ｌａを挟んで対向する各枠壁２６８、２９６の第１辺２６８ａと２９６ａに挟まれた幅寸法をもつ凹部２７８となっており、底壁２５７より所定量深い凹部底２７８ａを有している。底壁２５７の凹部２７８との角部は円弧で面取りしてある。
【０１０８】
側壁２６４は上記第１係止部２７０および第６係止部２９５の各枠壁２６８、２９６（第１辺２６８ａ、２９６ａ）間でカバー受け部２６５ｄが切り欠かれて、当該切り欠き部分は側壁２６４の上縁から凹部底２７８ａまで垂直な一平面となっている。カバー受け部２６５ｄの切り欠き端は円弧で面取りしてある。
枠壁２６８、２９６の中間線Ｌａを挟んで対向する第１辺２６８ａ、２９６ａの各上縁は凹部２７８側を円弧で面取りしてある。
【０１０９】
図３０、図３１および図３３に示すように、上壁２６１に沿った中間位置には、第１係止部２７０の貫通穴２６９ａと同一の貫通穴２６９ｂを形成した第２係止部２７５を設けてある。ここでは、第１係止部２７０と異なり側壁２６４を利用できないため、第２係止部２７５はＬ字形の代わりに、第１辺２７６ａ、第２辺２７６ｂおよび第３辺２７６ｃからなるコ字形の枠壁２７６を備えて貫通穴２６９ｂを画成している。枠壁２７６も底壁２５７から立ち上がっている。貫通穴２６９ｂ内における爪２７１の配置は、第１係止部２７０と同一である。
貫通穴２６９ｂのサイズおよび爪２７１は、後述の係止片４１０の爪４０６ａとの関係で貫通穴２６９ａと同様である。
互いに対向する第１辺２７６ａと第３辺２７６ｃの上縁は貫通穴２６９ｂの穴縁を円弧で面取りしてある。
【０１１０】
図３０に示すように、側壁２６２に沿った上壁２６１寄りには、基本形が矩形の貫通穴２６９ｃを底壁２５７に形成した第３係止部２８０を設けてある。
とくに図３１に示すように、貫通穴２６９ｃは、底壁２５７の裏面から前面前方の所定高さまで側壁２６２の左面を切り欠いて右辺としている。
図３５は図３０におけるＡＣ−ＡＣ部断面を示す。
第３係止部２８０の貫通穴２６９ｃの側壁２６２に対向する辺には、その内壁面の上壁２６１寄りの半分に、底壁２５７裏面（開口位置）に係止面２８２を有する爪２８１が形成されている。
爪２８１は係止面２８２から底壁２５７上面まで一定の矩形断面を有し、図３０に示されるように、貫通穴２６９ｃの底壁２５７上面における実際の開口は当該爪２８１の矩形断面で上壁２６１寄りの角部が埋められた形状となっている。
爪２８１の上下幅は、後述の係止片４１５の爪４０６ｃの幅に略対応させてある。
【０１１１】
側壁２６２には、上述の貫通穴２６９ｃを形成する切り欠きの上壁２６１寄り（爪２８１に対向する側）につなげて、とくに爪４０６ｃの上下幅に対応する幅をもってカバー受け部２６５ｂと同じ深さの浅い切り欠きが、カバー受け部２６５ｂ（の前面（上面））まで延びている。すなわち、この浅い切り欠きの範囲ではカバー受け部２６５ｂが切除されている。
貫通穴２６９ｃの左右幅は、爪２８１の係止面２８２の突出長さと、係止片４１５の板厚、および爪４０６ｃの係止面４０７ｃの突出長さの合計に余裕をもたせた値とし、上下幅は爪２８１の幅と爪４０６ｃの幅の合計に余裕をもたせた値としてある。これにより、第３係止部２８０および次の第４係止部２８５には下方へのスライドを許す逃げ空間Ｓｂが形成される。
【０１１２】
図３０に示すように、側壁２６２に沿った下壁２６３寄りには、底壁２５７に第３係止部２８０と同様の貫通穴２６９ｄを形成した第４係止部２８５を設けてある。
とくに図３１に示すように、貫通穴２６９ｄは、底壁２５７の裏面から前面前方の所定高さまでカバー受け部２６５ｂの幅相当分を切り欠いて側壁２６２側の辺としているが、切り欠きは当該辺の下壁２６３寄りの略１／２の範囲に限定して、上壁２６１寄りの残部を爪２８１としている。
【０１１３】
図３６は図３０におけるＡＤ−ＡＤ部断面を示す。第４係止部２８５の爪２８１も底壁２５７裏面（開口位置）に係止面２８２を有する。
爪２８１の上下幅は、後述の係止片４２０の爪４０６ｃの幅に略対応させてある。
貫通穴２６９ｄのサイズは貫通穴２６９ｃと同じである。すなわち、貫通穴２６９ｄの左右幅は、爪２８１の係止面２８２の突出長さと、係止片４２０の板厚、および爪４０６ｃの係止面４０７ｃの突出長さの合計に余裕をもたせた値とし、上下幅は爪２８１の左右幅と爪４０６ｃの幅の合計に余裕をもたせた値としてある。
【０１１４】
図３０および図３２に示すように、第５係止部２９０は、下壁２６３に沿った中間位置に、下壁２６３と底壁２５７から立ち上がった第１辺２９１ａおよび第２辺２９１ｂからなるＬ字形の枠壁２９１とで矩形断面の３辺を囲まれ、底壁２５７を貫通する貫通穴２６９ｅを形成している。
貫通穴２６９ｅの第６係止部２９５に隣接する辺は、枠壁が設けられておらず、また第６係止部２９５から離間している。
【０１１５】
図３７は図３０におけるＡＥ−ＡＥ部断面を示す。第５係止部２９０の貫通穴２６９ｅの第６係止部２９５に隣接する辺は爪２９２として、底壁２５７の裏面における開口の当該辺の縁部は係止面２９３となっている。
爪２９２を含む貫通穴２６９ｅの左右幅は、爪２９２の係止面２９３の突出長さと、後述の係止片４２５の板厚、および爪４０６ｂの係止面４０７ｂの突出長さの合計に余裕をもたせた値とし、上下幅は爪４０６ｂの幅に余裕をもたせた値としてある。
枠壁２９１の爪２９２を構成する辺に対向する第２辺２９１ｂの上縁は貫通穴２６９ｅ側を円弧で面取りしてある。
【０１１６】
図３０および図３３等に示すように、左側の側壁２６４の上縁には、中間線Ｌａ上にケーブル引出し口８５を形成するための所定幅の切り欠き２８６を設けてある。切り欠き２８６の底面２８７は側壁２６４のコネクタ収容室２６０に面する内壁面から隣接する左区画の底壁上面に向かう傾斜面となっている。
コネクタ収容室２６０の底壁２５７には、右側の側壁２６２とソケット挿通穴２５６の間に、上壁２６１から下壁２６３にわたる直線溝２８８を設けてある。
第３係止部２８０と第４係止部２８５は直線溝２８８より側壁２６２側に位置し、第１係止部２７０、第２係止部２７５、第５係止部２９０および第６係止部２９５はソケット挿通穴２５６側に配置されている。
【０１１７】
図３０および図３２に示すように、下壁２６３の前縁は、側壁２６２側で下方に折れて、下端壁２０６に接続するまで側壁２６２と平行に延びている。下方に折れた前縁２６３ａの側壁２６２との対向面は直線溝２８８の左側の側縁の延長線上に整合している。当該下方に折れた前縁２６３ａと側壁２６２間はカバー受け部２６５ｃの下方への張り出し部２６６となっているとともに、カバー受け部２６５ｃは側壁２６２のカバー受け部２６５ｂに連なっている。
張り出し部２６６の下縁と下端壁２０６との間は第３、第４係止部２８０、２８５の爪２８１の上下幅を収容可能な間隙となるように設定してある。
【０１１８】
なお、直線溝２８８と第５係止部２９０の間には、第１の封止結合部７０を形成する不図示の封止構造形成部を支持する連結部２９７が、下端壁２０６および下壁２６３を横切って、コネクタ収容室２６０内まで延びて底壁２５７に接続している。また、下端壁２０６からは下壁２６３にかかるまで表示ブロック２９８が張り出して、下端壁２０６の上縁に連なる上面（前壁３１と同平面）には第１の封止結合部７０を識別する符号「Ａ」が付されている。
【０１１９】
つぎに、図３８〜図４２はコネクタカバー３６０を示し、図３８の（ａ）は前面図、（ｂ）は左側面図、（ｃ）は右側面図、図３９は図３８の（ａ）におけるＡＦ−ＡＦ矢視図、図４０は裏面図である。また、図４１は図３８の（ａ）におけるＡＧ−ＡＧ部断面図、図４２はコネクタカバー３６０の裏面斜視図である。
ここで、コネクタカバー３６０における方向は図３８の（ａ）における上下左右を指し、手前を前方とする。また（  ）内は図３９における上下方向を指す。
コネクタカバー３６０は樹脂製で、基板ボックス３０のカバー嵌め込み領域２６７に整合する矩形をなすベース３６５の裏面に後述の係止片を備えて構成されている。ベース３６５はスリット３６３により左右方向で長尺の第１部３６１と短尺の第２部３６２に２分割され、耳片３７５、３７７によって連結されている。
【０１２０】
まずコネクタカバー３６０の前面について説明する。
図３８に示すように、第１部３６１のベース３６５の左辺に、コネクタ収容室２６０における切り欠き２８６に対応する上下幅をもつ切り欠き溝３９７が開口している。切り欠き溝３９７については後述する。
また、第１部３６１のベース３６５の左辺から左右方向長さの略１／３の位置から右辺（スリット３６３側）近傍まで延びる一定幅の膨出部３６９が形成されている。
膨出部３６９の上記一定幅は第１部３６１の上下幅の１／３強で、膨出部３６９の中心は第１部３６１の上下幅の中央を通って左右に延びる中間線Ｌｂより所定量だけ上方にオフセットしている。
膨出部３６９の前面（上面）は右端が前方に所定高さを有し、左端はベース３６５の前面に合流して高さゼロとなる傾斜面である。
【０１２１】
膨出部３６９の前面には指押し部３７０が形成されている。
指押し部３７０は、上下方向のリブ３７１を複数（ここでは６本）左右方向等間隔に設け、リブ列における左端のリブ３７１ａは膨出部３６９の左端に、そして右端のリブ３７１ｂは膨出部３６９の右端に配置して構成されている。各リブ３７１は膨出部３６９の上下全幅にわたって延び、前方向高さは左端のリブ３７１ａから右端側へ進むほど順次大きくなっている。
【０１２２】
第２部３６２のベース３６５の前面（上面）にも指押し部３７３が形成されている。
指押し部３７３は、左右方向のリブ３７４を複数（ここでは６本）上下方向等間隔に設けて構成されている。各リブ３７４の長さは第２部３６２の左右幅よりも短いが、わずかにスリット３６３寄りに配置されている。
各リブ３７４の前方向高さは上端のリブ３７４ａから下端側へ進むほど順次大きくなっているとともに、６本中の中央のリブが上述の中間線Ｌｂ上に位置している。
【０１２３】
第１部３６１と第２部３６２はスリット３６３に沿う上下２箇所で耳片３７５、３７７により連結されている。
図３９も参照して、下方の耳片３７７はベース３６５の前面から前方へ立ち上がって外周縁を円弧としたリブ状を呈しているとともに、スリット３６３を横切る部位で両側面を切り欠いて易破断部３７８としてある。耳片３７７はスリット３６３内には延びていない。
上方の耳片３７５も耳片３７７と同一形状であり、易破断部３７８を備えている。
【０１２４】
図３８および図４０に示すように、第２部３６２は、コネクタ収容室２６０におけるカバー受け部２６５ｃの張り出し部２６６の左右幅に対応する幅を有するとともに、下辺が張り出し部２６６の分だけ第１部３６１よりも下方に突出している。
【０１２５】
つぎに、コネクタカバー３６０の裏面について説明する。
図４０および図４２に示すように、コネクタカバー３６０はベース３６５裏面に第１部３６１の外周縁における上辺、下辺および左辺に沿って、それぞれ対応するカバー受け部２６５ａ、２６５ｃおよび２６５ｄの幅相当分を残して、厚板部３６７を備え、ベース３６５の周辺部と厚板部３６７の境界に段差が形成されている。厚板部３６７周囲のカバー受け部２６５の幅相当部分を当該厚板部３６７と区別するためフランジ部３６６と呼ぶ。
【０１２６】
第１部３６１の右辺には、矩形の第１縦壁３８０が後方に延びている。第１縦壁３８０の上下端とベース３６５の外周縁との間には前述と同様にそれぞれ対応するカバー受け部２６５ａ、２６５ｃの幅に相当するフランジ部３６６が残っている。厚板部３６７の右端は第１縦壁３８０の左面に接続し、第１縦壁３８０の右面はスリット３６３の左側の側縁と面一になっている。
第１縦壁３８０のフランジ部３６６からの高さは、コネクタ収容室２６０におけるカバー受け部２６５から底壁２５７までの深さに対応している。
第１縦壁３８０に続く左側の所定範囲の厚板部３６７は上下両方向から後述の凹部３９９に達しない所定距離までフランジ部３６６と面一の切り欠きエリア３６８ａとなっている。
また下辺側の切り欠きエリア３６８ａには、コネクタ収容室２６０に延びた連結部２９７を逃げる切り欠きエリア３６８ｂが面一に連なっている。
【０１２７】
第１部３６１の左端部には、剛性ブロック部３９０が設けられている。
剛性ブロック部３９０は、中間線Ｌｂを挟んだ対象位置に後方へ向けて立ち上げた２つの柱壁３９１と、これらに接続した右壁３９２および左壁３９４とからなる。
柱壁３９１はベース３６５の外周縁（左辺）から厚板部３６７にかかる左右幅を有している。
右壁３９２は厚板部３６７から立ち上がるとともに、各柱壁３９１の右縁につながっている。
左壁３９４はフランジ部３６６から立ち上がるとともに、各柱壁３９１の左縁につながっている。
剛性ブロック部３９０のフランジ部３６６からの高さは、コネクタ収容室２６０におけるカバー受け部２６５から凹部２７８の凹部底２７８ａまでの深さに対応している。
【０１２８】
図３８の（ｂ）および図４２に示すように、剛性ブロック部３９０の右壁３９２の後縁は、両端近傍の柱壁３９１と同じ高さから中間線Ｌｂをまたぐ所定上下幅の底部３９３に向かって傾斜している。
左壁３９４は、中間線Ｌｂを挟んで上下に分離され、分離部分にそれぞれベース３６５から垂直に所定高さ（後方）まで立ち上がる側壁３９５を備えた切り欠き溝３９７を形成している。切り欠き溝３９７は右壁３９２に接続するまで延びている。
【０１２９】
左壁３９４の後縁は、左右方向から見たとき、両端近傍の柱壁３９１と同じ高さから切り欠き溝３９７の側壁３９５の高さ途中の曲がり点ｐに向かって傾斜している。側壁３９５の曲がり点ｐから後方部分は後縁と一致して傾斜しており、曲がり部は円弧で滑らかに面取りしてある。
曲がり点ｐのベース３６５からの高さは右壁３９２の底部３９３の高さより小さい。したがって、左壁３９４の後縁は右壁３９２の後縁よりも急な傾斜となっている
切り欠き溝３９７の底壁３９６は、右方に進むほど後方となるように傾斜して、右壁３９２の左面に接続している。
剛性ブロック部３９０の外方に面する各角部は円弧で面取りし、また右壁３９２の後縁の内面側も同様に面取りしてある。
【０１３０】
図４０および図４２に示すように、厚板部３６７の略中央には、前面の膨出部３６９に対応する矩形の凹部３９９が形成されている。凹部３９９の底面３９９ａは、左端側で厚板部３６７周囲のフランジ部３６６のレベル近くまで沈んでおり、膨出部３６９の前面に対応して右方に進むほど前方へ深くなっている。凹部３９９の開口周縁は円弧で面取りしてある。
凹部３９９の底面３９９ａには後方に膨出してベース３６５の前面と平行な端面を有する薄厚のコネクタ押さえ４００が形成されている。コネクタ押さえ４００は、ソケット挿通穴２５６から臨むソケット４８に挿し込まれるコネクタ８１の後述する係止プレート８２に対応する位置に設定されている。（後掲の図４７参照）
【０１３１】
図３８〜図４０および図４２に示すように、厚板部３６７上の左端における上側角部にはコネクタ収容室２６０の第１係止部２７０に対応する第１係止片４０５が後方に立ち上がっている。第１係止片４０５は板面を厚板部３６７の上辺と面一にし、先端に爪４０６ａを備える。爪４０６ａは上方に突出した係止面４０７ａと、係止面４０７ａから先端へ延びる傾斜面４０８ａを有している（とくに図３８の（ｂ））。
【０１３２】
厚板部３６７の上辺に沿って右端寄りには、第２係止部２７５に対応する第２係止片４１０が、爪４０６ａの係止面４０７ａを上方に突出させて後方に立ち上がっている。
第１係止片４０５および第２係止片４１０はいずれもその爪４０６ａの幅が先端でわずかに細くなるように左側端面を斜めに削いである（図３９、図４０）。
厚板部３６７上の左端における下側角部には第６係止部２９５に対応する第６係止片４３０が後方に立ち上がっている。第６係止片４３０は板面を厚板部３６７の下辺と面一にし、爪４０６ａの係止面４０７ａを下方（外方）に突出させている。その爪４０６ａの左側端面は、第１、第２係止片４０５、４１０と同様に、幅が先端でわずかに細くなるように斜めに削いである。
【０１３３】
厚板部３６７上の下辺に沿った左右方向中間には、第５係止部２９０に対応する第５係止片４２５が後方に立ち上がっている。第５係止片４２５は板厚端面を厚板部３６７の下辺と面一にし、爪４０６ｂは左方に突出させた係止面４０７ｂと、係止面４０７ｂから先端へ延びる傾斜面４０８ｂを有している。
爪４０６ｂはその係止面４０７ｂをわずかに傾斜させて、厚板部３６７（裏面）から係止面４０７ｂの外縁（先端）までの距離より係止面４０７ｂの根元側までの距離を長くしてある（とくに図３９）。
爪４０６ｂはまた、幅が先端で細くなるように上側（内側）端面を斜めに削いである（図４０）。
【０１３４】
上述した第１、第２、第５および第６係止片４０５、４１０、４２５、４３０の各爪４０６ａ、４０６ｂの係止面４０７ａ、４０７ｂ（の外縁）のフランジ部３６６からの高さは同一で、コネクタ収容室２６０におけるカバー受け部２６５から第１、第２、第５および第６係止部の各爪の係止面までの深さにそれぞれ対応している。
各係止片は基本的に同一形状であり、成形型の型抜き方向によって可能ならば、第１、第２および第６係止片４０５、４１０、４３０も係止面４０７ｂを傾斜させた爪４０６ｂを備えるものとするのが好ましい。
【０１３５】
第２部３６２におけるベース３６５は全領域がフランジ部３６６と同一厚である。
図３８〜図４０および図４２に示すように、第２部３６２の裏面の左辺には、第２縦壁３８２が後方に延びている。第２縦壁３８２の上下方向長さは耳片３７５と耳片３７７の間に対応する範囲にわたっており、上端は第１部３６１における厚板部３６７の上辺および第１縦壁３８０の上端に整列している。
第２縦壁３８２の左面はスリット３６３の右側の側縁と面一になっており、また、第２縦壁３８２のベース３６５（フランジ部３６６）からの高さは、コネクタ収容室２６０におけるカバー受け部２６５から直線溝２８８の底までの深さに対応している。
【０１３６】
さらに、第２部３６２の裏面には、右辺に沿ってカバー受け部２６５ｂの幅相当分（フランジ部３６６）を残して、第３縦壁３８４が延びている。第３縦壁３８４の上下方向長さは第２縦壁３８２と同一範囲である。そして、第３縦壁３８４の下端と第２縦壁３８２の下端間は横壁３８６により接続している。
第３縦壁３８４および横壁３８６のベース３６５からの高さは、コネクタ収容室２６０におけるカバー受け部２６５から底壁２５７までの深さに対応している。
【０１３７】
第２部３６２にはそれぞれ第３縦壁３８４の後縁から後方に延ばした形態で、第３係止部に対応する第３係止片４１５と第４係止部に対応する第４係止片４２０とが設けられている。
第３係止片４１５はその先端に、左方（内方）に突出した係止面４０７ｃと、係止面４０７ｂから先端へ延びる傾斜面４０８ｃを有する爪４０６ｃを備えている。爪４０６ｃは第５係止片４２５の爪４０６ｂと同じく係止面４０７ｃをわずかに傾斜させてあるが、係止面４０７ｃから先端までの長さが爪４０６ｂより短い（図３９）。
【０１３８】
第４係止片４２０は第３係止片４１５と同一形状であるが、爪４０６ｃの係止面４０７ｃを右方（外方）に突出させている。
第３および第４係止片４１５、４２０の各爪４０６ｃの係止面４０７ｃ（の外縁）のベース３６５からの高さは同一で、コネクタ収容室２６０におけるカバー受け部２６５ｂから第３および第４係止部の各爪の係止面までの深さにそれぞれ対応している。
第３縦壁３８４における横壁３８６との接続部と第４係止片４２０の間は、所定高さまで後縁からベース３６５方向の切り欠き３８５（図３８の（ｃ））となっている。
なお、上述したコネクタ収容室２６０およびコネクタカバー３６０における各壁や係止片等については、図示を省略した部分もあるが成形型に対する必要な抜き勾配が付与されることはもちろんである。
【０１３９】
上述した矩形凹部２０８のコネクタ接続部ＣＯＮ２においては、基板ボックス３０内の基板からソケット挿通穴２５６を貫通してコネクタ収容室２６０に臨むソケット４８に、ケーブル８０のコネクタ８１を挿し込んで接続し、そのあと、コネクタカバー３６０を取り付ける。
ここではまず、ケーブル８０を概略左方に引き延ばした状態で、コネクタカバー３６０をカバー嵌め込み領域２６７に対向させ、コネクタカバー３６０の第１〜第６係止片４０５、４１０、４１５、４２０、４２５、４３０の爪４０６（４０６ａ、４０６ｂ、４０６ｃ）をコネクタ収容室２６０の対応する第１〜第６係止部２７０、２７５、２８０、２８５、２９０、２９５の開口にあてがう。
それから、ベース３６５の上辺および下辺に沿った部分に指を当てコネクタカバー３６０を押し込む。
これにより、各係止片が対応する係止部の貫通穴２６９（２６９ａ〜２６９ｆ）を貫通して、先端の爪が各係止部の爪と係合する。
【０１４０】
すなわち、図４３〜図４６はコネクタカバー３６０各部の係合状態を示す。なお、これらの図にはソケットおよびコネクタを省略してある。
図４３は図３０におけるＡＢ−ＡＢ部に相当する断面図で、第１係止片４０５と第１係止部２７０の係合状態および第６係止片４３０と第６係止部２９５の係合状態を示している。
第１係止片４０５は貫通穴２６９ａに押し込まれる途中で爪４０６ａの傾斜面４０８ａが傾斜面２７３に沿って爪２７１に乗り上げ、弾性変形する。貫通穴２６９ａにおける爪２７１とこれに対向する壁（枠壁２６８の第１辺２６８ａ）間の間隙は爪４０６ａを含む第１係止片４０５が通過可能なサイズとなっているから、第１係止片４０５は曲がりながら貫通穴２６９ａを通過したあと、自由姿勢に戻って爪４０６ａの係止面４０７ａが爪２７１の係止面２７２に係止し、抜け止めされる。
【０１４１】
第６係止片４３０も同様に、貫通穴２６９ｆを貫通して爪４０６ａの係止面４０７ａが第６係止部２９５の爪２７１の係止面２７２に係止して、抜け止めされる。
とくに図示しないが、第２係止片４１０も同様に、貫通穴２６９ｂを貫通して爪４０６ａの係止面４０７ａが第２係止部２７５の爪２７１の係止面２７２に係止して、抜け止めされる。
【０１４２】
図４４は図３０におけるＡＣ−ＡＣ部に相当する断面図で、第３係止片４１５と第３係止部２８０の係合状態を示している。
第３係止片４１５は貫通穴２６９ｃに押し込まれる際に爪４０６ｃの傾斜面４０８ｃが底壁２５７前面における爪２８１の角に乗り上げ、弾性変形する。貫通穴２６９ｃでは、爪２８１に対向する壁は側壁２６２を切り欠いて、その対向間隙は爪４０６ｃを含む第３係止片４１５が通過可能なサイズとなっているから、第３係止片４１５は曲がりながら貫通穴２６９ｃを通過したあと自由姿勢に戻って、底壁２５７裏面において爪４０６ｃの係止面４０７ｃが爪２８１の係止面２８２に係止し、抜け止めされる。
【０１４３】
図４５は第４係止片４２０と第４係止部２８５の係合状態を示す断面図である。
第４係止片４２０は貫通穴２６９ｄに押し込まれる前に爪４０６ｃの傾斜面４０８ｃがカバー受け部２６５ｂの角に乗り上げ、弾性変形する。貫通穴２６９ｄでは、爪２８１とこれに対向する辺の対向間隙が爪４０６ｃを含む第４係止片４２０が通過可能なサイズとなっているから、第４係止片４２０は曲がった状態で貫通穴２６９ｄを通過したあと自由姿勢に戻って、底壁２５７裏面において爪４０６ｃの係止面４０７ｃが爪２８１の係止面２８２に係止し、抜け止めされる。
【０１４４】
図４６は図３０におけるＡＥ−ＡＥ部に相当する断面図で、第５係止片４２５と第５係止部２９０の係合状態を示している。
第５係止片４２５は貫通穴２６９ｅに押し込まれる途中で爪４０６ｂの傾斜面４０８ｂが底壁２５７前面における爪２９２の角に乗り上げ、弾性変形する。貫通穴２６９ｅでは、爪２９２とこれに対向する壁（枠壁２９１の第２辺２９１ｂ）の対向間隙は爪４０６ｂを含む第５係止片４２５が通過可能なサイズとなっているから、第５係止片４２５は曲がりながら貫通穴２６９ｅを通過したあと自由姿勢に戻って、底壁２５７裏面において爪４０６ｂの係止面４０７ｂが爪２９２の係止面２９３に係止し、抜け止めされる。
【０１４５】
コネクタカバー３６０の取り付けの過程において、ソケット４８に接続したコネクタ８１から延びるケーブル８０は、剛性ブロック部３９０の右壁３９２の傾斜した後縁の範囲内に保持しておけば、当該傾斜によりコネクタカバー３６０の上下幅中央寄りへ案内され、さらに左壁３９４の後縁の一層急な傾斜によって、切り欠き溝３９７へ導かれる。
切り欠き溝３９７はコネクタ収容室２６０における側壁２６４の切り欠き２８６と協同してケーブル引出し口８５を形成するので、ケーブル８０はこのケーブル引出し口８５からコネクタ収容室２６０外部へ引き出される。
したがって、ケーブル引出し口８５をとくに狭く設定しても、ケーブル引出し口８５を外れたコネクタカバー３６０の他の部位でケーブル８０を噛み込んでしまうことはない。
【０１４６】
コネクタカバー３６０、とくに第１部３６１の裏面はソケット４８に接続されたコネクタ８１の上部を囲む凹部３９９となっているので、段差ができるとともにコネクタ８１上部まわりが狭くなるので、外部から裏面側空間に針金などを進入させ得たとしても、コネクタ８１とケーブル８０の接続部にまでアクセスすることはきわめて困難である。
また、コネクタ８１は前方へ延びる係止プレート８２を備えており、コネクタ８１のソケット４８への挿し込みが不十分で接続が正規状態でないときは、凹部３９９の底壁３９９ａに設けられたコネクタ押さえ４００がコネクタ８１の係止プレート８２に当接して押し込むので、コネクタ接続が十分でないときでもコネクタカバー３６０の取り付けによって同時に正規の接続状態が実現される。なお係止プレート８２はコネクタ８１の側壁から延びているので、コネクタ押さえ４００がコネクタ８１の頂壁から延びているケーブル８０を押しつぶすことはない。
【０１４７】
以上のように各係止片が対応する係止部に係合した状態で、コネクタカバー３６０はそのベース３６５外周のフランジ部３６６がコネクタ収容室２６０のカバー受け部２６５に着座して、カバー嵌め込み領域２６７に嵌り、ベース３６５の前面がコネクタ収容室２６０を囲む側壁２６２、２６４および下壁２６３の前縁と面一になる。
また、コネクタカバー３６０の剛性ブロック部３９０は凹部２７８に受容され、その後縁が凹部底２７８ａに近接する。第１壁３８０、第３壁３８４および横壁３８６の後縁は底壁２５７に近接し、第２壁３８２の後縁は直線溝２８８に嵌る。
【０１４８】
なお、コネクタカバー３６０の右辺側の第３、第４係止片４１５、４２０は第３壁３８４の後縁から延びており、係止片根元から爪４０６ｃまでの距離が短く撓みにくいので、第３、第４係止片４１５、４２０の爪４０６ｃ部を先に貫通穴２６９ｃ、２６９ｄに挿し込み、あるいは各爪２８１の係止面２８２に係止させてから、そのあとベース３６５の左辺側を押し込むと取り付け作業が容易となる。
【０１４９】
この際、第１、第６係止片４０５、４３０や第２係止片４１０の爪４０６ａはそれぞれの左側端面を斜めに削いであるので、斜めに押し込まれても貫通穴２６９ａ、２６９ｆ、２６９ｂの開口縁に引っ掛かることはない。また、第５係止片４２５の爪４０６ｂも上側端面を斜めに削いであるので、貫通穴２６９ｅの開口縁（枠壁２９１の第１辺２９１ａ）に引っ掛かることもない。
また、コネクタカバー３６０の第１縦壁３８０はその上下幅が上壁２６１と下壁２６３間の距離に対応するので、コネクタカバー３６０を押し込む前の上下方向の位置決めに用いることができる。
【０１５０】
図４７は、コネクタカバー３６０が取り付けられたコネクタ接続部ＣＯＮ２の図３０に示した中間線Ｌａに沿ったＡＡ−ＡＡ部相当の断面図である。
コネクタ８１はその係止プレート８２がコネクタカバー３６０のコネクタ押さえ４００に規制されてソケット４８との正規の接続状態を保持する。
コネクタ８１の前面から延びるケーブル８０は、コネクタカバー３６０の凹部３９９の底面３９９ａで進路を曲げられてコネクタ収容室２６０の凹部２７８へ向かう。そして、ケーブル８０は凹部２７８の凹部底２７８ａと剛性ブロック部３９０における右壁３９２の底部３９３との間隙を抜けて、側壁２６４とコネクタカバー３６０間のケーブル引出し口８５から外部へ引き出される。
【０１５１】
コネクタカバー３６０がコネクタ接続部ＣＯＮ２のカバー嵌め込み領域２６７に嵌め込まれたこの状態では、ケーブル８０は剛性ブロック部３９０により経路を規制されてＳ字状にコネクタ８１に接続しているので、針金などを使用してもケーブル引出し口８５から直接ケーブル８０とコネクタ８１の接続部やコネクタ８１とソケット４８の接続部にアクセスすることができない。
ケーブル引出し口８５以外からケーブル８０とコネクタ８１の接続部にアクセスしようとしても、コネクタカバー３６０のフランジ部３６６がカバー受け部２６５に落ち込んでおり、コネクタ収容室２６０の上壁２６１、下壁２６３および側壁２６４におけるカバー受け部２６５の段差と、上辺、下辺および左辺に沿っては、そのフランジ部３６６と厚板部３６７間の不図示の段差とが階段状をなすので、コネクタカバー３６０を取り外さなければ不可能である。
【０１５２】
そして、コネクタカバー３６０のスリット３６３に沿っては、第１縦壁３８０がコネクタ収容室２６０のコネクタ８１の前面より低い底壁２５７に近接するまで延びているので、同じくケーブル８０とコネクタ８１の接続部などに直接アクセスすることができない。
一方、コネクタカバー３６０を取り外すため各係止片と係止部の係合を解除することも、カバー受け部２６５の段差から厚板部３６７にかけての階段形状によりアクセスが困難である。また第３係止片４１５および第４係止片４２０は、直線溝２８８に嵌り込んだ第２縦壁３８２によってスリット３６３からのアクセスが防止され、またカバー受け部２６５ａ、２６５ｂに対して段差を形成し底壁２５７まで長く延びる第３縦壁３８４および横壁３８６によってコネクタカバー３６０周縁からのアクセスも防止される。
【０１５３】
さらに、各係止片の爪４０６ａ、４０６ｂ、４０６ｃと各係止部の爪２７１、２８１、２９２には互いに９０°単位で異なる方向を不規則に設定してあり、すべてベース３６５の裏面側に隠れているので、コネクタカバー３６０の周縁を抉るなどして万一いずれかの係合部が解除されたとしても、すべての係合部を同時に解除することは不可能である。
したがって、一旦取り付けたコネクタカバー３６０は取り外すことができないから、取り付け状態が封止されたことになる。
【０１５４】
比較的にコネクタカバー３６０の引き剥がしが容易に見えるのは、コネクタカバー３６０の第２部３６２の下部が下壁２６３の張り出し部２６６に着座して両者の重なり端面が下端壁２０６に対向している部分である。しかし、第２部３６２がフランジ部３６６の板厚のままで第１部３６１の厚板部３６７と比較して薄い上、近傍には易破断部３７８を備えた耳片３７７が設けられている。したがって、上記重なりの対向面間に工具を挿し込んで引き剥がそうとすると、第２部３６２が破損あるいは局部的に変形し、さらには易破断部３７８が容易に破損するため不正の痕跡が残る。
強引にケーブル８０とコネクタ８１の接続部にアクセスするためにはそのほか複数部位を破壊しなくてはならない。
【０１５５】
正規にコネクタカバー３６０の封止を解除するには、コネクタカバー３６０の第１部３６１と第２部３６２を連結している耳片３７５、３７７の易破断部３７８をニッパなどにより切断することにより、第２部３６２を第１部３６１から分離する。
分離された第２部３０２は、第２、第３係止片４１５、４２５を備えているが、これらの爪４０６ｃはその係止面４０７ｃをそれぞれ左右方向に突出させて第３、第４係止部２８０、２８５の爪２８１と係止している。そして、第３、第４係止部２８０、２８５の貫通穴２６９ｃ、２６９ｄはそれぞれ爪２８１の下方に爪４０６ｃの上下幅を収容可能な空間を有しているので、爪４０６ｃは下方向にはスライド可能である。
また、第２部３６２の下辺と下端壁２０６との間にも爪２８１の上下幅を収容可能な間隙が設けられている。
【０１５６】
したがって、図４８の（ａ）に示すように、第２部３６２を下方にスライドさせると、爪４０６ｃはその係止面４０７ｃが爪２８１の係止面２８２から逃げ空間Ｓｂへ滑って爪２８１から離脱するから、第２、第３係止片４１５、４２５を貫通穴２６９ｃ、２６９ｄから抜き出して第２部３６２を取り外すことができる。
なお、第２部３６２の前面には指押し部３７３が形成されているので、ここに指を押し付けて下方に移動させると容易に第２部３６２をスライドさせることができる。
図４８の（ｂ）はコネクタカバー３６０の第２部３６２を取り外した状態を示す。
【０１５７】
コネクタカバー３６０の残された第１部３６１は、第１、第２、第５および第６係止片４０５、４１０、４２５および４３０を備えているが、その内、第１、第２、および第６係止片４０５、４１０および４３０は爪４０６ａが係止面４０７ａをそれぞれ上下方向に突出させて第１、第２、および第６係止部２７０、２７５および２９５の爪２８１と係止している。また、第５係止片４２５は爪４０６ｂが係止面４０７ｂを左方向に突出させて第５係止部２９０の爪２９２と係止している。
そして、第１、第２、第５および第６係止部２７０、２７５、２９０および２９５の貫通穴２６９ａ、２６９ｂおよび２９６ｆはそれぞれ爪２８１の右方に爪４０６ａの左右幅を収容可能な逃げ空間Ｓａを有し、貫通穴２６９ｅも同様に爪２９２の右方に同様の逃げ空間を有しているので、爪４０６ａおよび爪４０６ｂは右方向にスライド可能である。
【０１５８】
したがって、図４８の（ｃ）に示すように、第１部３６１を右方にスライドさせると、爪４０６ａはその係止面４０７ａが爪２８１の係止面２８２上を滑って爪２８１から離脱し、爪４０６ｂも爪２９２から離脱する。
第１部３６１の膨出部３６９には指押し部３７０が形成されているので、ここに指を押し付けて右方に移動させると容易に第１部３６１をスライドさせることができる。
【０１５９】
このあと、第１、第２、第５および第６係止片４０５、４１０、４２５および４３０を貫通穴２６９ａ、２６９ｂ、２６９ｅおよび２６９ｆから抜き出して第１部３６１を取り外すことができる。
こうして、コネクタカバー３６０をカバー嵌め込み領域２６７から取り外し、コネクタ収容室２６０のコネクタ接続部へのアクセスが可能となる。
以上のように、コネクタカバー３６０を切断破壊し、その痕跡が残ることなしにはコネクタ接続部にアクセスすることができず、例えばコネクタ８１とソケット４８の接続部分やケーブル８０とコネクタ８１の接続部分から制御プログラム等の変更が不正に行われることを確実に防止することが可能となる。
【０１６０】
上述した実施の形態では、コネクタ接続部ＣＯＮ１において、コネクタカバー３００のカバー嵌め込み領域２１０は主基板ユニット２０の左端部において基板ボックス３０と可動ベース部１００とに跨って形成されたものとしたが、主基板２３上のソケット４５の位置に応じて配置を設定すればよく、基板ボックス３０にのみ形成してもよい。
また、コネクタカバー３００は縦長として上方向にスライドさせてカバー嵌め込み領域２１０に取り付けるよう各係止部の向きを設定したが、下方向にスライドさせて取り付け、あるいは左右方向にスライドさせて取り付けるようにしてもよい。
カバー嵌め込み領域は実施の形態の縦長に限定されず、ソケット４５の配置に応じて横長としてもよい。
【０１６１】
さらには、実施の形態ではコネクタカバー３００の剥し方向係止のため、引掛部２２４を備える第１の剥し方向係止部２２０と引掛部３１６を備える係止部３１５の組み合わせ、およびケーブル押え１４０の係止穴２２８からなる第２の剥し方向係止部と係止片３１３の組み合わせを用い、スライド方向係止のため、爪部２３２を備える第１のスライド方向係止部２３０と係止穴３２５を有する縦壁部３２１を備える係止部３２０の組み合わせ、および爪部２４２を備える第２のスライド方向係止部２４０と先端に爪３３２を有する弾性片部３３１を備える係止部３３０の組み合わせを用いているが、これらの各係止手段を構成する引掛部や係止片、縦壁部、あるいは爪部等はコネクタカバー３００側とカバー嵌め込み領域２１０側の間で互いに入れ替えて形成してもよい。
また、剥し方向の分離を阻止する機能を有する係止手段およびスライド方向の分離を阻止する機能を有する係止手段であれば、その形態は問わず任意のものを採用することができる。
【０１６２】
したがってまた、カバー嵌め込み領域２１０およびコネクタカバー３００の形状は矩形としたが、これに限定されず、採用する係止手段に応じて外周形状が異形のものであってもよい。
剥し方向の分離を阻止する機能を有する係止手段およびスライド方向の分離を阻止する機能を有する係止手段はコネクタカバーのサイズ、形状に応じて少なくとも各１組ずつあればよい。
すなわち、コネクタカバー３００はその剥し方向にかかる係止部を備える第１部３０１と第３部３０３、およびスライド方向にかかる係止部を備える第２部３０２の３部分に分離可能のものとしたが、係止手段の組数が少ない場合はコネクタカバー３６０のように２部分に分離可能であればよい。
【０１６３】
一方、ソケット４８にかかるコネクタ接続部ＣＯＮ２では、矩形凹部２０８内の奥まった位置にコネクタ収容室２６０を設定し、カバー嵌め込み領域２６７に取り付けられたコネクタカバー３６０の前面も基板ボックス３０の前壁３１から後退しているものとしたが、コネクタ収容室２６０を独立して基板ボックス３０の前壁３１に開口させて、カバー嵌め込み領域２６７に取り付けたコネクタカバー３６０の前面が前壁３１と面一になるようにしてもよい。
【０１６４】
また、コネクタ８１は、係止突部としてその側壁から延びる係止プレート８２を備え、コネクタカバー３６０のコネクタ押さえ４００はこの係止プレート８２に当接するように薄厚に膨出させたが、係止プレート８２の代わりにロッド状のものでもよく、あるいはケーブル８０に跨る門形でもよい。
さらには、係止プレート８２を廃止してコネクタ押さえ４００を直接コネクタ８１の前面に当接するリブ状にしてもよい。あるいは、同じく係止プレート８２を廃止して、コネクタ押さえ４００はコネクタ８１の前面から引き出されるケーブル８０を間に挟んでコネクタ８１の前面を押圧するように設定してもよい。
【０１６５】
そして、コネクタカバー３６０の各係止片の爪４０６ａ、４０６ｂ、４０６ｃとコネクタ収容室２６０の各係止部の爪２７１、２８１、２９２の向きは、図示のものに限定されず、全体として同時に一方向にスライド不可であるが、分離したコネクタカバー３６０の第１部および第２部単位ではそれぞれ所定方向にスライド可能であれば、任意に設定することができる。また係止片および対応する係止部の数も任意である。
【０１６６】
実施の形態は基板ボックスにおけるコネクタ接続部を例として示したが、本発明は基板ボックスに対するコネクタカバーに限らず、遊技機内において取り付け状態を封止する必要がある種々の構造体にも適用可能である。例えば、制御基板を収容する基板ボックスを形成する第１ボックスと第２ボックスを封止した状態とするための封止構造に本発明を適用してもよく、あるいは基板ボックスを遊技機本体に取り付けて封止した状態とするための封止構造に適用してもよい。
【０１６７】
さらに、実施の形態は遊技機としてスロットマシンに適用した例を示したが、本発明はこれに限定されず、異なるタイプの遊技機、具体的には遊技媒体として遊技球を用いる弾球式の遊技機、いわゆるパチンコ機等に適用してもよい。例えば、特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機として実施するようにしてもよい。
また、弾球式でない遊技機、例えば、外枠に開閉可能に支持された遊技機本体に貯留部および取込装置を備え、貯留部に貯留されている所定数の遊技球が取込装置により取り込まれた後にスタートレバーが操作されることによりリールの回転を開始する、パチンコ機とスロットマシンとが融合された遊技機として実施するようにしてもよい。
【０１６８】
以下、上述した実施の形態から抽出される発明の特長を、必要に応じて効果等とともに示す。
（１）構造部材の所定部位を覆ってカバーを取り付けてなる構造体を配設した遊技機において、
前記構造部材の所定部位と前記カバーの裏面との間には、第１の方向において互いに係止する第１係止手段と、前記第１の方向と交差する第２の方向において互いに係止する第２係止手段とが設けられ、
前記第１係止手段は前記カバーを前記構造部材に対して前記第２の方向と逆方向に所定位置まで移動させることにより係止状態となり、
前記第２係止手段は前記カバーを前記構造部材に対して前記第２の方向と逆方向に前記所定位置まで移動させることにより不可逆の係止状態となるように構成されて、前記カバーと前記構造部材が固定されるように構成され、
前記カバーの外面には複数のフィンが設けられていることを特徴とする遊技機。
【０１６９】
（１）の発明によれば、カバーを構造部材に対して第２の方向と逆方向に所定位置まで移動させることにより、第１係止手段と第２係止手段の双方が係止状態となる。第２係止手段は一旦係止すると不可逆でカバーを第２の方向に戻すことができないから、第１係止手段も係止状態から解放されず、したがってカバーは構造部材から取り外し不能の封止状態で固定される。所定位置まで相対移動させて係止させるだけで、他の別部材等を要することなく封止される。第１係止手段および第２係止手段はカバーの裏面に隠れるから、不正なアクセスによってそれぞれの係止状態を解放することが困難である。
強引にカバーを叩いて取り外そうとする場合でも、薄板状のフィンが容易に破壊されて不正の痕跡が残る。
【０１７０】
（２）構造部材の所定部位を覆ってカバーを取り付けてなる構造体を配設した遊技機において、
前記カバーはそのベースから外方に膨出する膨出部を形成するとともに、接続部を介して接続された第１構造部と第２構造部を有し、
前記第１構造部と前記所定部位の間には、該所定部位から離間する剥し方向において互いに係止する剥し方向係止手段が設けられ、
前記第２構造部と前記所定部位の間には、前記構造部材に対するスライド方向に沿った一方向において互いに係止するスライド方向係止手段が設けられ、
前記膨出部の前記スライド方向に沿った他方向の端部の外面にはフィンが形成され、
前記剥し方向係止手段は前記カバーを前記構造部材に対して前記スライド方向に沿った他方向に所定位置まで移動させることにより係止状態となり、
前記スライド方向係止手段は前記カバーを前記構造部材に対して前記スライド方向に沿った他方向に前記所定位置まで移動させることにより不可逆の係止状態となるように構成されて、前記カバーと前記構造部材が固定され、
さらに、前記スライド方向係止手段は、前記接続部において前記第１構造部と前記第２構造部を分離後は、該第２構造部の前記構造部材に対する前記剥し方向の離脱を可能に構成されて、該第２構造部を取り外すことにより前記固定が解除されることを特徴とする遊技機。
【０１７１】
（２）の発明によれば、カバーを構造部材に対してスライド方向に沿った他方向に所定位置まで移動させることにより、剥し方向係止手段とスライド方向係止手段の双方が係止状態となる。スライド方向係止手段は一旦係止すると不可逆でカバーをスライド方向に戻すことができないから、剥し方向係止手段も係止状態から解放されない。したがって、カバーはスライドさせて係止させるだけで、他の別部材等を要することなく、構造部材から取り外し不能の封止状態で固定される。
強引に膨出部の端部を工具で叩いてカバーを不正に取り外そうとした場合でも、薄板状のフィンが容易に破壊されて痕跡が残る。
接続部を切断して第１構造部と第２構造部を分離すれば、スライド方向係止手段はスライド方向に沿った一方向の係止状態は解放されないが、剥し方向には第２構造部を取り外せるから、その後は残った第１構造部もスライド方向に沿った一方向に戻すことができ、剥し方向係止手段による係止状態から解放して取り外すことができる。
【０１７２】
（３）前記膨出部に形成された前記フィンは、前記スライド方向に対して傾斜していることを特徴とする（２）に記載の遊技機。
カバーを取り外そうとして工具で膨出部の端部を叩いたとき、たとえフィンが破壊されずとも、フィンの傾斜によって打撃の方向が逸れるので、簡単にはカバーに有効な打撃力が及ばず、取外しを困難にする。
【０１７３】
（４）前記第２構造部を取り外すことにより該第２構造部の設置領域に前記第１構造部が移動可能になり、該第１構造部を前記第２構造部の設置領域方向に移動させることで前記第１構造部が前記構造部材から取り外し可能になり前記固定が解除されることを特徴とする（２）または（３）に記載の遊技機。
第１構造部を第２構造部の設置領域方向に移動させるだけで剥し方向係止手段による係止状態から解放して取り外すことができる。
（５）前記第１構造部が前記第２構造部を前記スライド方向に沿って挟んでおり、前記剥し方向係止手段は前記第２構造部を挟む前記第１構造部のそれぞれと前記所定部位の間に設けてあることを特徴とする（２）から（４）のいずれか１に記載の遊技機。
剥し方向係止手段が第２構造部を挟んだ両側の第１構造部においてカバーを構造部材に係止するから、強い固定状態が得られる。
【０１７４】
（６）前記剥し方向係止手段が、前記第１構造部に設けられた第１の引掛部と、前記所定部位に設けられた第２の引掛部とを有して、
前記カバーの前記スライド方向に沿った他方向への移動により、前記第１の引掛部が前記第２の引掛部の裏面側に位置して互いに係止するものであることを特徴とする（２）から（４）のいずれか１に記載の遊技機。
簡素な引掛部同士をカバーのスライドにより係止させることにより、簡単に剥し方向に対する結合が得られる。
（７）前記剥し方向係止手段が、前記第１構造部に設けられて前記スライド方向に沿った他方向に延びる係止片と、前記所定部位側に設けられて前記スライド方向に沿った一方向に開口する係止穴とを有して、
前記カバーの前記スライド方向に沿った他方向への移動により、前記係止片が前記係止穴に進入して互いに係止するものであることを特徴とする（２）から（４）のいずれか１に記載の遊技機。
係止片が係止穴に進入して互いに係止することにより、簡単に剥し方向に対する結合が得られる。
【０１７５】
（８）前記剥し方向係止手段が、
前記第１構造部に設けられた第１の引掛部と、前記所定部位に設けられた第２の引掛部とを有して、前記カバーの前記スライド方向に沿った他方向への移動により、前記第１の引掛部が前記第２の引掛部の裏面側に位置して互いに係止する第１の剥し方向係止手段と、
前記第１構造部に設けられて前記スライド方向に沿った他方向に延びる係止片と、前記所定部位側に設けられて前記スライド方向に沿った一方向に開口する係止穴とを有して、前記カバーの前記スライド方向に沿った他方向への移動により、前記係止片が前記係止穴に進入して互いに係止する第２の剥し方向係止手段とを含むことを特徴とする（２）から（４）のいずれか１に記載の遊技機。
同じ剥し方向に対する係止のために、構成の異なる剥し方向係止手段を両方備えて、係止状態解放のための仕組みがそれぞれ異なる複合構造となるので、一層大きな不正アクセス防止効果が得られる。
【０１７６】
（９）前記スライド方向係止手段が、前記第２構造部に設けられて前記スライド方向に沿って前記構造部材側へ延び係止穴を備える縦壁部と、前記所定部位に設けられて前記スライド方向に沿った他方向側の端に係止面を備える爪部とを有して、
前記カバーの前記スライド方向に沿った他方向への移動により、前記縦壁部の弾性変形を経て前記爪部が前記係止穴に嵌り込んで互いに係止し、
さらに、前記爪部と前記係止穴の少なくとも一方には、前記縦壁部の弾性変形により前記第２構造部の前記剥し方向への離脱を許す傾斜面を有しているものであることを特徴とする（２）から（４）のいずれか１に記載の遊技機。
爪部が係止穴に嵌り込むことによりスライド方向に係止して封止されるが、第１構造部と分離して第２構造部を剥し方向に引っ張れば、爪部と係止穴の一方に設けた傾斜面により、縦壁部が弾性変形して爪部と係止穴の係止が外れるから、カバーの第２構造部を取り外すことができる。
【０１７７】
（１０）前記スライド方向係止手段が、前記第２構造部に設けられて前記スライド方向に沿った一方向側の端に係止面を有する第１の爪部を備えた弾性片部と、前記所定部位に設けられて前記スライド方向に沿った他方向側の端に係止面を備える第２の爪部とを有して、
前記カバーの前記スライド方向に沿った他方向への移動により、前記弾性片部の弾性変形を経て前記第１の爪部と前記第２の爪部がそれぞれの前記係止面で互いに係止し、
さらに、前記第１の爪部は前記第２の爪部に対して互いの前記係止面における前記剥し方向に沿ったスライドにより離脱可能に構成されていることを特徴とする（２）から（４）のいずれか１に記載の遊技機。
第１の爪部と第２の爪部の係止により封止されるが、第１構造部と分離して第２構造部を第１の方向に引っ張れば、係止面で滑ってカバーの第２構造部を取り外すことができる。
【０１７８】
（１１）前記スライド方向係止手段が、
前記第２構造部に設けられて前記スライド方向に沿って前記構造部材側へ延び係止穴を備える縦壁部と、前記所定部位に設けられて前記スライド方向に沿った他方向側の端に係止面を備える爪部とを有して、前記カバーの前記スライド方向に沿った他方向への移動により、前記縦壁部の弾性変形を経て前記爪部が前記係止穴に嵌り込んで互いに係止し、さらに、前記爪部と前記係止穴の少なくとも一方には、前記縦壁部の弾性変形により前記第２構造部の前記剥し方向への離脱を許す傾斜面を有している第１のスライド方向係止手段と、
前記第２構造部に設けられて前記スライド方向に沿った一方向側の端に係止面を有する第１の爪部を備えた弾性片部と、前記所定部位に設けられて前記スライド方向に沿った他方向側の端に係止面を備える第２の爪部とを有して、前記カバーの前記スライド方向に沿った他方向への移動により、前記弾性片部の弾性変形を経て前記第１の爪部と前記第２の爪部がそれぞれの前記係止面で互いに係止し、さらに、前記第１の爪部は前記第２の爪部に対して互いの前記係止面における前記剥し方向に沿ったスライドにより離脱可能に構成されている第２のスライド方向係止手段とを含むことを特徴とする（２）から（４）のいずれか１に記載の遊技機。
同じスライド方向に対する係止のために、構成の異なるスライド方向係止手段を両方備えて、係止状態解放のための仕組みがそれぞれ異なる複合構造となるので、一層大きな不正アクセス防止効果が得られる。
【０１７９】
（１２）前記構造部材が、制御基板を収納しソケットに外部ケーブルのコネクタを接続した基板ユニットであり、
前記カバーが、コネクタ接続部を囲む所定部位を覆うコネクタカバーであり、
前記膨出部が、前記コネクタ接続部を収容するコネクタ収容部であることを特徴とする（２）から（１１）のいずれか１に記載の遊技機。
（１３）前記剥し方向係止手段は、前記コネクタ接続部を挟んで、複数設けてあることを特徴とする（１２）に記載の遊技機。
複数の剥し方向係止手段が第１構造部のコネクタ接続部を挟んだ両側でそれぞれ係止することにより、均等で強い固定状態が得られる。
【０１８０】
（１４）前記所定部位には前記コネクタから延びる前記外部ケーブルをガイドするケーブル押えが設けられて、前記係止穴は前記ケーブル押えに形成され、
前記コネクタカバーの前記第１構造部は前記ケーブル押えを収容するケーブル押え収容部を備えて、前記係止片は前記ケーブル押え収容部の内壁から延びていることを特徴とする（１２）または（１３）に記載の遊技機。
ケーブル押えをケーブルガイドと剥し方向係止手段の一部に兼用しているので、構成が簡単化される。
【０１８１】
（１５）前記ケーブル押え収容部の前記スライド方向に沿った他方向の端部の外面にはフィンが形成されていることを特徴とする（１４）に記載の遊技機。
コネクタカバーを不正に取り外そうとして工具でケーブル押え収容部の端部を叩くと、薄板状のフィンが容易に破壊されて痕跡が残る。
（１６）前記ケーブル押え収容部に形成された前記フィンは、前記スライド方向に対して傾斜していることを特徴とする（１５）に記載の遊技機。
工具でケーブル押え収容部の端部を叩いた場合、たとえフィンが破壊されずとも、フィンの傾斜によって打撃の方向が逸れるので、簡単にはカバーに有効な打撃力が及ばず、取外しを困難にする。
【０１８２】
（１７）前記基板ユニットの前記所定部位は該基板ユニットの表面に対する凹部をなすカバー嵌め込み領域とされ、
前記コネクタカバーはその外周縁において前記基板ユニットの表面と面一となるように構成されていることを特徴とする（１２）から（１６）のいずれか１に記載の遊技機。
カバーがカバー嵌め込み領域に嵌め込まれて、各係止手段が基板ユニットの表面より沈んだ配置となるので、不正なアクセスがとくに困難となる。
【０１８３】
（１８）前記基板ユニットは、前記制御基板を収納する基板ボックスと該基板ボックスを支持する可動ベース部とを有し、
前記カバー嵌め込み領域が前記基板ボックスと前記可動ベース部に跨って設定されていることを特徴とする（１７）に記載の遊技機。
コネクタ接続部が基板ボックスの周辺部に近接している場合でも、カバー嵌め込み領域が可動ベース部に跨って広く確保され、各係止手段を高い自由度で適切な位置に配置することができる。
また、カバー嵌め込み領域内に基板ボックスと可動ベース部の結合部を配置することにより、基板ボックスと可動ベース部の結合もコネクタカバーにより封止されるので、基板ボックスが不正に可動ベース部から取り外されるおそれもない。
【０１８４】
（１９）前記接続部は、前記第１構造部と前記第２構造部の間にわたって外方へ突出して設けられた耳片であることを特徴とする（２）から（１８）のいずれか１に記載の遊技機。
耳片が突出して設けられているので工具による切断が容易である。
（２０）前記耳片は前記第１構造部と前記第２構造部の境界に切り欠きを有していることを特徴とする（１９）に記載の遊技機。
切り欠き部分が易破断部となって切断しやすく、容易に第２構造部を第１構造部から分離できる。
（２１）前記耳片は前記コネクタカバーの外周縁に沿って設けてあることを特徴とする（１９）または（２０）に記載の遊技機。
コネクタ収容部などを膨出させてある場合でも、耳片はそれから離間しているので工具をあてがい易く、切断作業が容易である。
【０１８５】
（２２）前記ソケットへの前記コネクタの接続が不完全な状態では前記コネクタカバーの取り付けを阻止する取り付け阻止手段を備えることを特徴とする（１２）から（２１）のいずれか１に記載の遊技機。
コネクタの接続が不完全な状態ではコネクタカバーの取り付けが阻止されるので、接続不完全なままで封止してしまうことが防止される。
（２３）前記取り付け阻止手段は、接続が不完全なときの前記コネクタ接続部と干渉する干渉部材であることを特徴とする（２２）に記載の遊技機。
干渉部材がコネクタ接続部と干渉することによりコネクタカバーの取り付けができず、取り付け作業者は直ちに異常であることを認識することができる。
【０１８６】
（２４）前記干渉部材は、前記ソケットのロックレバーの回動軌跡を横切って該ロックレバーがロック位置にないとき当該ロックレバーと干渉するように前記コネクタ収容部に設けられた横隔壁であることを特徴とする（２３）に記載の遊技機。
横隔壁がロックレバーと干渉することにより、ロック位置にない、すなわちコネクタが正規の接続状態にないことがわかる。
横隔壁はコネクタ収容部の剛性も向上させる。
【０１８７】
（２５）前記コネクタ収容部には、前記コネクタカバーの取り付け状態において、接続が完全な状態の前記コネクタに前記ソケットへの挿し込み方向で当接するコネクタ押さえが設けられていることを特徴とする（１２）から（２４）のいずれか１に記載の遊技機。
コネクタの接続が不完全なときはソケットへの挿し込みが不十分で、ソケットからのコネクタの突出量が大きいから、コネクタ押さえがコネクタに乗り上げるためコネクタが正規の接続状態にないことがわかる。
コネクタ押さえがコネクタに乗り上げた場合、コネクタカバーを意識的に押し付けることによりコネクタ押さえを介してコネクタを正規の接続状態に是正することができる。
（２６）前記コネクタ押さえが前記コネクタの長手方向中央を挟んで互いに離間した位置に対応させて２箇所に形成された隔壁であることを特徴とする（２５）に記載の遊技機。
コネクタが不均等に斜めに挿し込まれている場合にも、コネクタが正規の接続状態にないことが精度良くわかる。
【０１８８】
（２７）前記膨出部の前記スライド方向に沿った一方向の端部の外面に、多数の凹凸を配した指押し部が形成されていることを特徴とする（２）から（２６）のいずれか１に記載の遊技機。
指押し部に指を掛けて押せば、カバー（コネクタカバー）を構造部材（基板ユニット）に対してスライド方向に沿った他方向に所定位置まで移動させ、剥し方向係止手段およびスライド方向係止手段を係止状態とするのが容易となる。
【０１８９】
（２８）制御基板のソケットに外部ケーブルのコネクタを接続し、当該コネクタを囲むコネクタ収容室を覆ってコネクタカバーを取り付けた基板ユニットを配設した遊技機において、
前記コネクタカバーはその外周の所定位置に前記外部ケーブルを通過させる切り欠き溝を開口させ、
前記コネクタカバーと前記コネクタ収容室の間には、該コネクタ収容室から離間する剥し方向において互いに係止する剥し方向係止手段が設けられ、
前記剥し方向係止手段は前記コネクタカバーを前記基板ユニットに対して押し込み方向に所定位置まで移動させることにより不可逆の係止状態となるように構成されて、前記コネクタカバーと前記基板ユニットが固定され、
さらに、前記コネクタカバーの裏面には、前記切り欠き溝を通って前記コネクタ収容室内に延びる前記外部ケーブルの延出方向を前記コネクタへ向かう途中で異なる方向へ規制するブロック部が前記コネクタ収容室を横切って設けられていることを特徴とする遊技機。
コネクタカバーを基板ユニットに対して押し込むだけで簡単に剥し方向に対する結合が得られる。
そしてブロック部がコネクタ収容室を横切っているため切り欠き溝から外部ケーブルとコネクタの接続部やコネクタとソケットの接続部に直線的にアクセスすることができない。
【０１９０】
（２９）前記ブロック部は前記コネクタから延びる前記外部ケーブルを前記切り欠き溝へ導く案内手段を有していることを特徴とする（２８）に記載の遊技機。
コネクタカバーを押し込む際、ソケットに接続したコネクタから延びる外部ケーブルは、ブロック部の案内手段によって切り欠き溝へ導かれるので、コネクタカバーの他の部位で外部ケーブルを噛み込んでしまうことがない。
（３０）前記案内手段は、前記ブロック部の前記コネクタ収容室の底壁に対向する端縁を、当該底壁に近接させるとともにコネクタカバーの取り付け方向に平行な面内で前記切り欠き溝へ向けて傾斜させて形成してあることを特徴とする（２９）に記載の遊技機。
ブロック部の傾斜した後縁の範囲内に外部ケーブルを保持すれば、容易に切り欠き溝へ導かれる。
【０１９１】
（３１）前記ブロック部は前記切り欠き溝に近い近壁と該近壁より所定量遠い遠壁とを備えて、該遠壁および近壁の端縁を前記傾斜させてあり、
前記切り欠き溝へ向けた前記近壁の傾斜度合いが前記遠壁の傾斜度合いより大きく設定してあることを特徴とする（３０）に記載の遊技機。
切り欠き溝に近い近壁の端縁がとくに急な傾斜となっているので、切り欠き溝を狭く設定しても外部ケーブルは確実に当該切り欠き溝へ導かれる。
【０１９２】
（３２）前記コネクタカバーはベースの裏面外周を内側の厚板部より薄いフランジ部とし、
前記コネクタ収容室の周縁には前記フランジ部を着座させるカバー受け部を形成してカバー嵌め込み領域とされ、
前記コネクタカバーのベースの外面はその外周縁において周辺の表面と面一となるように構成されていることを特徴とする（２８）から（３１）のいずれか１に記載の遊技機。
コネクタカバーがカバー嵌め込み領域に嵌め込まれて、各係止手段が基板ユニットの表面より沈んだ配置となるので、不正なアクセスが困難となる。
【０１９３】
（３３）前記コネクタ収容室の周壁の開口縁には、前記コネクタカバーの切り欠き溝に対応する切り欠きが設けられて、前記切り欠き溝と協同してケーブル引出し口を形成していることを特徴とする（２８）から（３２）のいずれか１に記載の遊技機。
周辺の表面に対して適度に傾斜したケーブルの引出し方向を実現することができる。
【０１９４】
（３４）構造部材の所定部位を覆ってカバーを取り付けてなる構造体を配設した遊技機において、
前記カバーは接続部を介して接続された第１構造部と第２構造部を有し、
前記第１構造部と前記所定部位の間には、該所定部位から離間する剥し方向において互いに係止する第１構造部剥し方向係止手段が設けられ、
前記第２構造部と前記所定部位の間には、該所定部位から離間する剥し方向において互いに係止する第２構造部剥し方向係止手段が設けられ、
前記第１構造部剥し方向係止手段および第２構造部剥し方向係止手段は前記カバーを前記構造部材に対して押し込み方向に所定位置まで移動させることによりそれぞれ不可逆の係止状態となるように構成されて、前記カバーと前記構造部材が固定され、
前記接続部において前記第１構造部と前記第２構造部を分離後は、前記第２構造部剥し方向係止手段は前記第２構造部の前記構造部材に対する前記押し込み方向に対して垂直なスライド方向の離脱を可能に構成され、前記第２構造部を取り外すことにより、前記第１構造部剥し方向係止手段が前記押し込み方向に対して垂直でかつ前記第１構造部のスライド方向に対して垂直な前記第１構造部のスライド方向の離脱を可能に構成されて、前記固定が解除されることを特徴とする遊技機。
【０１９５】
（３４）の発明によれば、カバーを構造部材に押し込んで第１構造部剥し方向係止手段および第２構造部剥し方向係止手段が不可逆の係止状態となると封止されるが、第１構造部と分離して第２構造部を第２構造部剥し方向係止手段の係止離脱方向にスライドさせれば、第２構造部を取り外すことができる。そしてそれから第１構造部を第１構造部剥し方向係止手段の係止離脱方向にスライドさせることにより、第１構造部も取り外すことができる。
【０１９６】
（３５）前記接続部は、前記第１構造部と前記第２構造部間にわたって外方へ突出して設けられた耳片であることを特徴とする（３４）に記載の遊技機。
耳片が突出して設けられているので工具による切断が容易である。
（３６）前記耳片は前記第１構造部と前記第２構造部の境界を横切る部位で側面を切り欠いて易破断部を形成してあることを特徴とする（３５）に記載の遊技機。
易破断部が切断しやすく、容易に第２構造部を第１構造部から分離できる。
【０１９７】
（３７）前記第１構造部剥し方向係止手段は、
前記第１構造部の裏面側に設けられた第１の係止片と、前記所定部位に設けられた第１の係止部とを有し、
前記第１の係止片は、前記第１構造部から延びる弾性片部の先端に爪を備え、前記第１の係止部は前記第１の係止片の爪に対応する爪を備えて、
前記カバーの前記押し込み方向に沿った移動により、前記第１の係止片の爪が前記弾性片部の弾性変形を経て前記第１の係止部の爪に係止するものであり、
前記第１の係止部は前記第１の係止片の前記爪の係止位置から前記第１構造部と第２構造部の並びにおける第２構造部方向へのスライドを許す逃げ空間を有し、
前記第１の係止片の爪は、前記第２構造部方向へのスライドにより、前記第１の係止部の爪から離脱可能に構成されており、
前記第２構造部剥し方向係止手段は、
前記第２構造部の裏面側に設けられた第２の係止片と、前記所定部位に設けられた第２の係止部とを有し、
前記第２の係止片は、前記第２構造部から延びる弾性片部の先端に爪を備え、前記第２の係止部は前記第１の係止片の爪に対応する爪を備えて、
前記カバーの前記押し込み方向に沿った移動により、前記第２の係止片の爪が前記弾性片部の弾性変形を経て前記第２の係止部の爪に係止するものであり、
前記第２の係止部は前記第２の係止片の前記爪の係止位置から前記第１構造部と第２構造部の並びに対して垂直方向へのスライドを許す逃げ空間を有し、
前記第２の係止片の爪は、前記垂直方向へのスライドにより、前記第２の係止部の爪から離脱可能に構成されていることを特徴とする（３４）から（３６）のいずれか１に記載の遊技機。
【０１９８】
（３７）の発明によれば、第１の係止片および第２の係止片はいずれもその弾性片部の弾性変形を経て対応する第１の係止部および第２の係止部の爪に係止するので、一旦係止した後は逆方向には離脱することができず、カバーを押し込むだけで簡単に封止できる。
一方、第１構造部と第２構造部を分離すれば、それぞれ押し込み方向と異なる方向にスライドさせることにより、係止状態から離脱でき、封止を解除できる。
【０１９９】
（３８）前記第１の係止片は、前記弾性片部からの爪の突出方向を前記第１構造部と第２構造部の並びに対して垂直方向としていることを特徴とする（３７）に記載の遊技機。
第１の係止片を第１構造部と第２構造部の並び方向にスライドさせれば、第１の係止片の爪はこれに係止する第１の係止部の爪から離脱可能となる。
（３９）前記第１の係止片は、前記第１構造部の周辺に沿って複数設けられ、前記弾性片部からの爪の突出方向を前記第１構造部と第２構造部の並びに対する垂直方向において互いに逆向きとした係止片を含むことを特徴とする（３８）に記載の遊技機。
複数箇所での係止によりカバーの取付けが確実になるとともに、第１の係止片同士の間で爪の向きが異なるので、不正にカバーを抉って取り外そうとしても同時に係止を解除できない。
【０２００】
（４０）前記第１の係止片は、前記第１構造部の周辺に沿って複数設けられ、前記弾性片部からの爪の突出方向を前記第１構造部と第２構造部の並びにおける第１構造部方向とした係止片を含むことを特徴とする（３８）または（３９）に記載の遊技機。
（３９）の発明と同様に、複数箇所での係止によりカバーの取付けが確実になるとともに、第１の係止片同士の間で爪の向きが異なるので、不正にカバーを抉って取り外そうとしても同時に係止を解除できない。
第１構造部を該第１構造部と第２構造部の並びにおける第２構造部方向にスライドさせることにより、第１の係止片の爪はこれに係止する第１の係止部の爪から対向関係のまま離反して離脱可能となる。
【０２０１】
（４１）前記第２の係止片は、前記弾性片部からの爪の突出方向を前記第１構造部と第２構造部の並び方向としていることを特徴とする（３７）から（４０）のいずれか１に記載の遊技機。
第２の係止片を第１構造部と第２構造部の並び方向に対して垂直方向にスライドさせれば、第２の係止片の爪はこれに係止する第２の係止部の爪から離脱可能となる。
（４２）前記第２の係止片は、前記第２構造部の周辺に沿って複数設けられ、前記弾性片部からの爪の突出方向を前記第１構造部と第２構造部の並び方向において互いに逆向きとした係止片を含むことを特徴とする（４１）に記載の遊技機。
複数箇所での係止によりカバーの取付けが確実になるとともに、第２の係止片同士の間で爪の向きが異なるので、不正にカバーを抉って取り外そうとしても同時に係止を解除できない。
【０２０２】
（４３）前記構造部材が、制御基板を収納しソケットに外部ケーブルのコネクタを接続した基板ユニットであり、
前記所定部位がコネクタ接続部を収容するコネクタ収容部であり、
前記カバーが、前記コネクタ収容部を覆うコネクタカバーであることを特徴とする（３４）から（４２）のいずれか１に記載の遊技機。
（４４）前記コネクタカバーはベースの裏面外周を内側の厚板部より薄いフランジ部とし、
前記コネクタ収容室の周縁には前記フランジ部を着座させるカバー受け部が形成されて、
前記コネクタカバーのベースの外面はその外周縁において周辺の表面と面一となるように構成されていることを特徴とする（４３）に記載の遊技機。
コネクタカバーがカバー受け部に沈み、着座部まわりのコネクタ収容室側との合わせ面が階段状となるので、コネクタカバー外周の隙間からコネクタ収容室内に直線的にアクセスすることはできない。
【０２０３】
（４５）前記コネクタカバーの前記第１の係止片は前記厚板部から延びていることを特徴とする（４４）に記載の遊技機。
コネクタカバー外周の隙間から針金などを差し込んでも、厚板部の外周面に阻止されるので、第１の係止片に不正にアクセスすることも困難である。
（４６）前記第１の係止部は、その前記逃げ空間と前記爪の係止位置における前記第１の係止片とを囲む囲み壁を備えていることを特徴とする（４３）から（４５）のいずれか１に記載の遊技機。
カバーを抉って不正に第１の係止片の爪の係止部分にアクセスしようとしても囲み壁に阻まれて困難である。
【０２０４】
（４７）前記第１の係止部は、前記コネクタ収容室の底壁に前記囲み壁を周壁とする貫通穴を有し、
前記第１の係止部の爪は前記第１の係止片の爪との係止面を前記貫通穴の底壁裏面側の開口に位置させていることを特徴とする（４６）に記載の遊技機。
第１の係止片の爪の位置がコネクタカバーのベースから離間して不正アクセスを困難にするとともに、弾性片部の長さが大きくなって弾性変形し易く、軽い押し込み力でコネクタカバーを取り付けることができる。
【０２０５】
（４８）前記第１構造部の裏面には前記第２構造部との境界に沿って第１アクセス防御壁が形成されて、第１構造部の裏面側空間を外部から隠していることを特徴とする（４３）から（４７）のいずれか１に記載の遊技機。
第１構造部と第２構造部間の境界をなすスリットからコネクタ収納空間への直線的な不正アクセスも第１アクセス防御壁に阻止されて不可能である。
第１アクセス防御壁とコネクタ収容室の底壁との隙間から針金などを差し込んでも、コネクタ収容室の上部に位置するコネクタと外部ケーブルの接続部にはアクセス困難である。
【０２０６】
（４９）前記第２構造部の裏面には前記第１構造部との境界に沿って第２アクセス防御壁が形成されて、第２構造部の裏面側空間を外部から隠していることを特徴とする（４３）から（４８）のいずれか１に記載の遊技機。
第１構造部と第２構造部間のスリットから第２係止片などへの不正アクセスは第２アクセス防御壁に阻止されて不可能である。
（５０）前記第１構造部は裏面に前記ソケットに接続された前記コネクタの上部を囲む凹部を形成していることを特徴とする（４３）から（４９）のいずれか１に記載の遊技機。
外部ケーブルが連結されたコネクタ上部まわりが狭くなるので、外部から第１構造部の裏面側空間に針金などを進入させ得たとしても、コネクタと外部ケーブルの接続部にまでアクセスすることはきわめて困難である。
【０２０７】
（５１）前記凹部の底壁には、前記ソケットへの接続が完全な状態の前記コネクタに前記ソケットへの挿し込み方向で当接するようにコネクタ押さえを突出させてあることを特徴とする（５０）に記載の遊技機。
コネクタの接続が不完全なときはソケットへの挿し込みが不十分で、ソケットからのコネクタの突出量が大きいから、コネクタ押さえがコネクタに乗り上げるためコネクタが正規の接続状態にないことがわかる。
コネクタ押さえがコネクタに乗り上げた場合、コネクタカバーを意識的に押し付けることによりコネクタ押さえを介してコネクタを正規の接続状態に是正することができる。
（５２）前記コネクタ押さえは前記コネクタの側壁から頂壁上方まで延びる係止突部に当接することを特徴とする（５１）に記載の遊技機。
外部ケーブルがコネクタの頂壁から延びている場合でも、コネクタ押さえが外部ケーブルを挟むことなく直接コネクタ（係止突部）を押圧することができる。
【０２０８】
（５３）前記第１構造部の外周の所定位置に前記外部ケーブルを通過させる切り欠き溝が形成され、
前記第１構造部の裏面には前記切り欠き溝を通って前記コネクタ収容室内に延びる前記外部ケーブルの経路を前記コネクタとは異なる方向へ規制するブロック部が前記コネクタ収容室を横切って設けられていることを特徴とする（４３）から（５２）のいずれか１に記載の遊技機。
切り欠き溝から外部ケーブルの経路に沿って針金などを差し込んでも、コネクタへ進めるためには経路を曲げねばならず、コネクタと外部ケーブルの接続部などへの不正アクセスは極めて困難である。
【０２０９】
（５４）前記ブロック部は前記外部ケーブルを前記コネクタ収容室の底壁近傍を通る経路で導くことを特徴とする（５３）に記載の遊技機。
コネクタと外部ケーブルとの接続部などはコネクタ収容室の上部に位置するに対し、切り欠き溝からの経路が距離の離れたコネクタ収容室の底壁近傍を通るから、不正アクセスの阻止にとくに有効である。
（５５）前記ブロック部は前記コネクタから延びる前記外部ケーブルを前記切り欠き溝へ導く案内手段を有していることを特徴とする（５３）または（５４）に記載の遊技機。
コネクタカバーを押し込む際、ソケットに接続したコネクタから延びる外部ケーブルは、ブロック部の案内手段によって切り欠き溝へ導かれるので、外部ケーブルの出口が確定し、コネクタカバーの他の部位で外部ケーブルを噛み込んでしまうことがないから、コネクタカバーの取り付け面側に外部ケーブルを引き出す場合に有効である。
【０２１０】
（５６）前記第１構造部は外面に膨出部を有し、
該膨出部の表面には、前記第１構造部と第２構造部の並び方向の力を受け止める第１の指押し部が形成されていることを特徴とする（４３）から（５５）のいずれか１に記載の遊技機。
コネクタカバーを基板ユニットに対してスライドさせ、第１の係止片の爪を第１の係止部の爪から離脱させるのが容易となる。
（５７）前記膨出部の表面は前記第１構造部から第２構造部方向に進むほど高くなるように傾斜していることを特徴とする（５６）に記載の遊技機。
指が爪の離脱方向に引っ掛かりやすくなる。
【０２１１】
（５８）前記第１の指押し部は前記第１構造部と第２構造部の並び方向に対して垂直方向に延びる複数のリブを前記第１構造部と第２構造部の並び方向に並べて形成されていることを特徴とする（５６）または（５７）に記載の遊技機。
複数のリブが指に接触して滑りを阻止するので、有効にスライド力を第１構造部に及ぼすことができる。
（５９）前記第１の指押し部の複数のリブは、前記第１の係止片の爪の前記第１の係止部の爪からの離脱方向に進んだ位置にあるほど順次に高くなっていることを特徴とする（５８）に記載の遊技機。
指が爪の離脱方向に一層引っ掛かりやすくなる。
【０２１２】
（６０）前記第２構造部の外面には、前記第１構造部と第２構造部の並び方向に対して垂直方向の力を受け止める第２の指押し部を設けてあることを特徴とする（４３）から（５９）のいずれか１に記載の遊技機。
コネクタカバーを基板ユニットに対してスライドさせ、第２の係止片の爪を第２の係止部の爪から離脱させるのが容易となる。
（６１）前記第２の指押し部は前記第１構造部と第２構造部の並び方向に延びる複数のリブを前記第１構造部と第２構造部の並び方向に対して垂直方向に並べて形成されていることを特徴とする（６０）に記載の遊技機。
複数のリブが指に接触して滑りを阻止するので、有効にスライド力を第２構造部に及ぼすことができる。
（６２）前記複数のリブは、前記第２の係止片の爪の前記第２の係止部の爪からの離脱方向に進んだ位置にあるほど順次に高くなっていることを特徴とする（６１）に記載の遊技機。
指が爪の離脱方向に引っ掛かりやすくなる。
【０２１３】
（６３）前記（１）から（６２）の遊技機のいずれかにおいて、当該遊技機がパチンコ遊技機であることを特徴とする遊技機。なかでも、パチンコ遊技機の基本構成としては操作ハンドルを備え、その操作ハンドルの操作に応じて球を所定の遊技領域へ発射し、球が遊技領域内の所定の位置に配設された作動口に入賞（または作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２１４】
（６４）前記（１）から（６２）の遊技機のいずれかにおいて、当該遊技機がスロットマシンであることを特徴とする遊技機。なかでも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０２１５】
（６５）前記（１）から（６２）の遊技機のいずれかにおいて、当該遊技機がパチンコ遊技機とスロットマシンとを融合させたものであることを特徴とする遊技機。なかでも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【０２１６】
上述した実施の形態においては、上記（１）〜（２７）の発明に関して、
主基板ユニット２０が発明における構造部材、および基板ユニットに該当し、コネクタ接続部ＣＯＮ１が所定部位に該当する。
コネクタカバー３００がカバー、およびコネクタカバーに該当し、その第１部３０１および第３部３０３がそれぞれ第１構造部に、第２部３０２が第２構造部に対応し、コネクタ収容部３０６が膨出部に該当する。
第１の剥し方向係止部２２０と係止部３１５の組み合わせ、および係止穴２２８からなる第２の剥し方向係止部と係止片３１３の組み合わせが、それぞれ発明における第１係止手段を構成し、剥し方向係止手段を構成している。そしてとくに前者の組み合わせが第１の剥し方向係止手段に該当し、後者の組み合わせが第２の剥し方向係止手段に該当する。
【０２１７】
また、第１のスライド方向係止部２３０と係止部３２０の組み合わせ、および第２のスライド方向係止部２４０と係止部３３０の組み合わせが、それぞれ発明における第２係止手段を構成し、スライド方向係止手段を構成している。そしてとくに前者の組み合わせが第１のスライド方向係止手段に該当し、後者の組み合わせが第２のスライド方向係止手段に該当する。
そして、図１０において紙面に垂直の手前方向が第１の方向、および剥がし方向に、同図において紙面に平行な上方向が第２の方向、およびスライド方向に沿った一方向に該当する。
耳片３０７、３０８が発明における接続部を構成している。
【０２１８】
そして、爪部２３２がとくに（１０）の発明における第１の爪部に該当し、爪部３３２が第２の爪部に該当する。
また、引掛部２２４が（６）、（８）の発明における第１の引掛部に該当し、引掛部３１６が第２の引掛部に該当する。
主基板２３が制御基板に、ケーブル２７が外部ケーブルに該当し、コネクタ２８がコネクタに該当し、カバー嵌め込み領域２１０が所定部位に該当する。
保持壁１１６のネジ挿通穴１２８からネジ７８を基板ボックス３０に締め込んでいる部位が基板ボックスと可動ベース部の結合部に該当する。
そして、横隔壁３４７が（２２）〜（２４）の発明における取り付け阻止手段、および干渉部材に該当し、押さえ壁３５０が（２５）、（２６）の発明におけるコネクタ押さえ、および隔壁に該当する。指押し部３３９が（２７）の発明における指押し部に該当する。
【０２１９】
つぎに、（２８）〜（３３）の発明に関して、実施の形態では、
コネクタカバー３６０が発明におけるコネクタカバーに該当し、主基板ユニット２０が基板ユニットに該当する。
そして、主基板２３が制御基板に、ケーブル８０が外部ケーブルに該当し、コネクタ８１がコネクタに該当する。
第１係止片〜第６係止片と対応する第１係止部〜第６係止部の各組み合わせが発明における剥し方向係止手段に該当する。
また、剛性ブロック部３９０がブロック部に、その右壁３９２が遠壁に、左壁３９４が近壁に該当し、これら右壁３９２と左壁３９４の各前縁がブロック部の端縁に該当して、切り欠き溝３９７へ向かって右壁３９２と左壁３９４の各前縁が傾斜している構造が発明における案内手段を構成している。
コネクタ収容室２６０の側壁２６４の前縁がとくに（３３）の発明における周壁の開口縁に該当する。
【０２２０】
（３４）〜（６２）の発明に関して、実施の形態では、
コネクタカバー３６０が発明におけるカバー、およびコネクタカバーに該当し、その第１部３６１が第１構造部に、第２部３６２が第２構造部に対応する。
主基板ユニット２０が構造部材、および基板ユニットに該当し、コネクタ接続部ＣＯＮ２のコネクタ収容室２６０が所定部位に該当する。
そして、主基板２３が制御基板に、ケーブル８０が外部ケーブルに該当し、コネクタ８１がコネクタに該当する。
耳片３７５、３７７が発明における接続部に該当する。
枠壁２６８、２７６、２９１、２９６が囲み壁に該当する。
【０２２１】
また、第１係止片４０５、第２係止片４１０、第５係止片４２５および第６係止片４３０と対応する第１係止部２７０、第２係止部２７５、第５係止部２９０および第６係止部２９５の各組み合わせが発明における第１剥し方向係止手段に該当する。第３係止片４１５および第４係止片４２０と対応する第３係止部２８０および第４係止部２８５の各組み合わせが発明における第２剥し方向係止手段に該当する。
とくに、第１係止片４０５、第２係止片４１０、第５係止片４２５および第６係止片４３０がそれぞれ第１の係止片に該当し、第３係止片４１５および第４係止片４２０がそれぞれ第２の係止片に該当する。
そして対応する第１係止部２７０、第２係止部２７５、第５係止部２９０および第６係止部２９５が第１の係止部に該当し、第３係止部２８０および第４係止部２８５が第２の係止部に該当する。
【０２２２】
さらに、第１係止片４０５および第２係止片４１０と、第６係止片４３０とは、（３９）の発明における爪の突出方向を第１構造部と第２構造部の並びに対する垂直方向において互いに逆向きとした係止片に該当し、第５係止片４２５は（４０）の発明における爪の突出方向を第１構造部と第２構造部の並びにおける第１構造部方向とした係止片に該当する。
さらに、第３係止片４１５と第４係止片４２０とは、（４２）の発明における爪の突出方向を第１構造部と第２構造部の並び方向において互いに逆向きとした係止片に該当する。
第１縦壁３８０が発明における第１アクセス防御壁に該当し、第２縦壁３８２、第３縦壁３８４および横壁３８６が第２アクセス防御壁を構成している。
係止プレート８２が係止突部に該当する。
【０２２３】
剛性ブロック部３９０が発明におけるブロック部に該当し、切り欠き溝３９７へ向かって剛性ブロック部３９０の右壁３９２と左壁３９４の各前縁が傾斜している構造が案内手段を構成している。
また、膨出部３６９が（５６）の発明における膨出部に該当し、指押し部３７０が第１の指押し部に、指押し部３７３が第２の指押し部に該当する。
【産業上の利用可能性】
【０２２４】
本発明は、制御基板を収納した基板ユニットなどを備える遊技機のセキュリティ確保に用いてとくに有用である。
【符号の説明】
【０２２５】
１    スロットマシン
２    筐体本体
２ａ    天板
２ｂ    底板
２ｃ    背板
２ｄ    左側板
２ｅ    右側板
２ｆ    仕切板
３    前面扉
４    施錠機構
５    遊技パネル
６    表示窓
７    コイン投入口
８    操作部
９    コイン受け皿
１０    演出表示部
１１    ホッパ装置
１２    電源ボックス
１４    リール
１５    リールユニット
２０    主基板ユニット
２２    主制御装置
２３    主基板
２４    ケーブル通路
２５    台座装置
２７    ケーブル
２８    コネクタ
３０    基板ボックス
３１    前壁
３２    後壁
３３    上端壁
３４    下端壁
３５Ｌ、３５Ｒ    側壁
３７Ｌ、３７Ｒ    側方張出し部
３８Ｌ、３８Ｒ    被保持部
３９    ネジ孔
４０    突片
４２ａ、４２ｂ    オフセット領域
４３    係止穴
４５、４８    ソケット
４６    ロックレバー
５０Ｌ、５０Ｒ    固定ベース部
５１    縦壁
５１ａ    段部
５２    底部ブロック
５３    ヒンジ支持壁
５４    ヒンジ軸
５５    補強壁
５６    第１回動ストッパ
５７    上面
５８    第２回動ストッパ
６０    フック
６２    姿勢保持部
６３    爪
６５    凹部
６６    ネジ挿通穴
７０    第１の封止結合部
７１    第２の封止結合部
７２    第３の封止結合部
７５ａ、７５ｂ、７６    封止構造形成部
７８    ネジ
８０    ケーブル
８１    コネクタ
８２    係止プレート
８５    ケーブル引出し口
１００    可動ベース部
１０２    載置部
１０４Ｌ、１０４Ｒ    側部ブロック
１０５    前壁部
１０６    後壁部
１０６ａ    膨出部
１０７    下壁部
１０８    封止部
１０９ａ    第１区画
１０９ｂ    第２区画
１０９ｃ    第３区画
１０９ｄ    第４区画
１１２    側端壁
１１４    軸受部
１１５    軸筒
１１６Ｌ、１１６Ｒ    保持壁
１１６ａ    上半部
１１６ｂ    下半部
１１７    接続壁
１１８    溝
１１９    段差面
１２０Ｌ、１２０Ｒ    取っ手兼係止部
１２１    前壁
１２２    側壁
１２２ａ    段差
１２３    指掛け部
１２４    係止孔
１２７    凹部
１２８    ネジ挿通穴
１２９    貫通穴
１３０    連通穴
１３２    突起
１３４    係止バー
１４０    ケーブル押え
１４１    脚壁
１４２    押えバー
１４３    支持脚
２００    第１ボックス
２０１    第２ボックス
２０３    ソケット挿通穴
２０４    操作ボタンカバー部
２０５    ドア
２０６、２０７    下端壁
２０８    矩形凹部
２１０    カバー嵌め込み領域
２１１    底壁
２１２    切欠き
２１３ａ、２１３ｂ    細溝
２２０ａ、２２０ｂ、２２０ｃ、２２０ｄ、２２０ｅ    第１の剥し方向係止部
２２１ａ、２２１ｅ    幅広溝部
２２２    空間
２２３    スリット
２２４ａ、２２４ｄ    引掛部
２２５ａ、２２５ｅ    溝底
２２８    係止穴
２３０    第１のスライド方向係止部
２３１    幅広溝部
２３２    爪部
２３３    係止面
２３４    傾斜面
２３５    傾斜面
２３６    溝底
２４０    第２のスライド方向係止部
２４２    爪部
２４３    係止面
２４４    傾斜面
２４６、２４７    横支持壁
２５０    ベース受け部
２５２    傾斜面
２５６    ソケット挿通穴
２５７    底壁
２６０    コネクタ収容室
２６１    上壁
２６２、２６４    側壁
２６３    下壁
２６５、２６５ａ、２６５ｂ、２６５ｃ、２６５ｄ    カバー受け部
２６６    張り出し部
２６７  カバー嵌め込み領域
２６８    枠壁
２６８ａ    第１辺
２６８ｂ    第２辺
２６９ａ、２６９ｂ、２６９ｃ、２６９ｄ、２６９ｅ、２６９ｆ    貫通穴
２７０    第１係止部
２７１    爪
２７２    係止面
２７３    傾斜面
２７５    第２係止部
２７６    枠壁
２７６ａ    第１辺
２７６ｂ    第２辺
２７６ｃ    第３辺
２７８    凹部
２７８ａ    凹部底
２８０    第３係止部
２８１    爪
２８２    係止面
２８５    第４係止部
２８６    切り欠き
２８７    底壁
２８８    直線溝
２９０    第５係止部
２９１    枠壁
２９１ａ    第１辺
２９１ｂ    第２辺
２９２    爪
２９３    係止面
２９５    第６係止部
２９６    枠壁
２９６ａ    第１辺
２９６ｂ    第２辺
２９７    連結部
２９８    表示ブロック
３００    コネクタカバー
３０１    第１部
３０２    第２部
３０３    第３部
３０５    ベース
３０６    コネクタ収容部
３０６ａ    前壁
３０６ｂ    上端壁
３０６ｃ    下端壁
３０６ｄ    側壁
３０７、３０８    耳片
３０９    切欠き
３１０    ケーブル押え収容部
３１０ａ    前壁
３１０ｂ    上端壁
３１０ｃ    下端壁
３１０ｄ    側壁
３１３    係止片
３１４    傾斜面
３１５ａ、３１５ｂ、３１５ｃ、３１５ｄ、３１５ｅ    係止部
３１６ａ、３１６ｄ    引掛部
３１７    リブ
３１８ａ、３１８ｂ    延長リブ
３２０    係止部
３２１    縦壁部
３２２、３２３    傾斜面
３２５    係止穴
３２６    傾斜面
３３０    係止部
３３１    弾性片部
３３２    爪
３３３    係止面
３３４    傾斜面
３３７、３３８    フィン
３３９    指押し部
３４０    リブ
３４２    ビード
３４３    ビード
３４５    傾斜面
３４７    横隔壁
３４９    切り欠き
３５０    押さえ隔壁
３６０    コネクタカバー
３６１    第１部
３６２    第２部
３６３    スリット
３６５    ベース
３６６    フランジ部
３６７    厚板部
３６８ａ、３６８ｂ    切り欠きエリア
３６９    膨出部
３７０、３７３    指押し部
３７１、３７１ａ、３７１ｂ、３７４、３７４ａ  リブ
３７５、３７７    耳片
３７８    易破断部
３８０    第１縦壁
３８２    第２縦壁
３８４    第３縦壁
３８５    切り欠き
３８６    横壁
３９０    剛性ブロック部
３９１    柱壁
３９２    右壁
３９３    底部
３９４    左壁
３９５    側壁
３９６    底壁
３９７    切り欠き溝
３９９    凹部
３９９ａ    底面
４００    コネクタ押さえ
４０５    第１係止片
４０６ａ、４０６ｂ、４０６ｃ    爪
４０７ａ、４０７ｂ、４０７ｃ    係止面
４０８ａ、４０７ｂ、４０８ｃ    傾斜面
４１０    第２係止片
４１５    第３係止片
４２０    第４係止片
４２５    第５係止片
４３０    第６係止片
Ｌａ、Ｌｂ    中間線
ｐ    曲がり点
Ｓａ、Ｓｂ    逃げ空間
ｖ    後方へ延びる片
ｗ    上方へ延びる片
Ｚ    回動中心軸線
【図１】
0006024179.tif 000002
【図２】
0006024179.tif 000003
【図３】
0006024179.tif 000004
【図４】
0006024179.tif 000005
【図５】
0006024179.tif 000006
【図６】
0006024179.tif 000007
【図７】
0006024179.tif 000008
【図８】
0006024179.tif 000009
【図９】
0006024179.tif 000010
【図１０】
0006024179.tif 000011
【図１１】
0006024179.tif 000012
【図１２】
0006024179.tif 000013
【図１３】
0006024179.tif 000014
【図１４】
0006024179.tif 000015
【図１５】
0006024179.tif 000016
【図１６】
0006024179.tif 000017
【図１７】
0006024179.tif 000018
【図１８】
0006024179.tif 000019
【図１９】
0006024179.tif 000020
【図２０】
0006024179.tif 000021
【図２１】
0006024179.tif 000022
【図２２】
0006024179.tif 000023
【図２３】
0006024179.tif 000024
【図２４】
0006024179.tif 000025
【図２５】
0006024179.tif 000026
【図２６】
0006024179.tif 000027
【図２７】
0006024179.tif 000028
【図２８】
0006024179.tif 000029
【図２９】
0006024179.tif 000030
【図３０】
0006024179.tif 000031
【図３１】
0006024179.tif 000032
【図３２】
0006024179.tif 000033
【図３３】
0006024179.tif 000034
【図３４】
0006024179.tif 000035
【図３５】
0006024179.tif 000036
【図３６】
0006024179.tif 000037
【図３７】
0006024179.tif 000038
【図３８】
0006024179.tif 000039
【図３９】
0006024179.tif 000040
【図４０】
0006024179.tif 000041
【図４１】
0006024179.tif 000042
【図４２】
0006024179.tif 000043
【図４３】
0006024179.tif 000044
【図４４】
0006024179.tif 000045
【図４５】
0006024179.tif 000046
【図４６】
0006024179.tif 000047
【図４７】
0006024179.tif 000048
【図４８】
0006024179.tif 000049